(57)【要約】【課題】ディジタル加入者回線アクセス多重化装置及びシステムにおいて、規格化されていないＡＤＳＬ回線の動作モードを管理制御可能なＡＤＳＬ回線動作モード設定システムを提供する。【解決手段】エージェント１２とマネージャ３１とはネットワーク１００を介して装置管理情報を送受信し、ＡＤＳＬ回線動作モード判定／設定部１１はエージェント１２から受信したＡＤＳＬ回線の動作モードに関する情報によってＡＤＳＬ回線の動作モードを判定し、それぞれのＡＴＵ−Ｃ１４−１〜１４−ｎに動作モードを設定する。ＡＴＵ−Ｃ１４−１〜１４−ｎとＡＴＵ−Ｒ２−１〜２−ｎとの間はＡＤＳＬ回線動作モード判定／設定部１１から設定されたＡＤＳＬ回線の動作モードによって動作する。【選択図】      図１
2004343578.tif 000002
【特許請求の範囲】
【請求項１】
局舎側のＡＤＳＬ（Ａｓｙｍｍｅｔｒｉｃ  ＤｉｇｉｔａｌＳｕｂｓｃｒｉｂｅｒ  Ｌｉｎｅ）モデムと加入者側のＡＤＳＬモデムとを接続するＡＤＳＬ回線の動作モードを前記局舎側のＡＤＳＬモデムに設定する集線装置を含むＡＤＳＬ動作モード設定システムであって、前記ＡＤＳＬ回線の各種規格を管理するための規格／勧告管理情報と前記ＡＤＳＬ回線の上り回線及び下り回線のオーバラップの有無を示すＰＳＤ（Ｐｏｗｅｒ  Ｓｐｅｃｔｒａｌ  Ｄｅｎｓｉｔｙ）を管理するためのＰＳＤ管理情報と前記ＡＤＳＬ回線における信号の送受信タイミングを示すビットマップを管理するためのビットマップ管理情報とを含む管理情報を基に前記局舎側のＡＤＳＬモデムへの設定を管理する手段を有することを特徴とするＡＤＳＬ動作モード設定システム。
【請求項２】
前記ＰＳＤ管理情報は、ＥＣＨＯ（Ｅｃｈｏ  Ｃａｎｃｅｌｌａｔｉｏｎ  Ｍｏｄｅ）、ＦＤＭ（Ｆｒｅｑｕｅｎｃｙ  Ｄｉｖｉｓｉｏｎ  Ｍｕｌｔｉｐｌｅｘｉｎｇ  Ｍｏｄｅ）、ＦｅｘｔＯｖｅｒｌａｐ［ＦＥＸＴ（Ｆａｒ  Ｅｎｄ  Ｃｒｏｓｓ  Ｔａｌｋ  Ｎｏｉｓｅ）  ＯｖｅｒｌａｐｐｅｄＭｏｄｅ］の管理情報値を少なくとも含むことを特徴とする請求項１記載のＡＤＳＬ動作モード設定システム。
【請求項３】
前記ビットマップ管理情報は、ＦＢＭ［ＦＥＸＴ（Ｆａｒ  Ｅｎｄ  Ｃｒｏｓｓ  Ｔａｌｋ  Ｎｏｉｓｅ）  Ｂｉｔ  Ｍａｐ］、ＤＢＭ（Ｄｕａｌ  Ｂｉｔ  Ｍａｐ）、下りＤＢＭ方式／上りＦＢＭ方式、下りＦＢＭ方式／上りＤＢＭ方式の管理情報値を少なくとも含むことを特徴とする請求項１または請求項２記載のＡＤＳＬ動作モード設定システム。
【請求項４】
前記規格／勧告管理情報と前記ＰＳＤ管理情報と前記ビットマップ管理情報とを保持するＭＩＢ（Ｍａｎａｇｅｍｅｎｔ  Ｉｎｆｏｒｍａｔｉｏｎ  Ｂａｓｅ）を含むことを特徴とする請求項１から請求項３のいずれか記載のＡＤＳＬ動作モード設定システム。
【請求項５】
前記ＭＩＢを前記集線装置内部に配設したことを特徴とする請求項３記載のＡＤＳＬ動作モード設定システム。
【請求項６】
前記ＭＩＢを前記集線装置外部に配設したことを特徴とする請求項３記載のＡＤＳＬ動作モード設定システム。
【請求項７】
ＩＴＵ−Ｔ勧告Ｇ．９９２．１及びＩＴＵ−Ｔ勧告Ｇ．９９２．２にて標準化されている前記ＡＤＳＬ回線の動作モードのＤＢＭ（ＤｕａｌＢｉｔ  Ｍａｐ）及びＦＢＭ［ＦＥＸＴ（Ｆａｒ  Ｅｎｄ  Ｃｒｏｓｓ  Ｔａｌｋ  Ｎｏｉｓｅ）  Ｂｉｔ  Ｍａｐ］と、他の動作モードＤＢＭ−ＯＬ（Ｄｕａｌ  Ｂｉｔ  Ｍａｐ−Ｏｖｅｒｌａｐｐｅｄ）、ＦＢＭ−ｓＯＬ（ＦＥＸＴ  Ｂｉｔ  Ｍａｐ−Ｓｈａｐｅｄ  Ｏｖｅｒｌａｐｐｅｄ）、ＸＤＤ（Ｔｉｍｅ−Ｆｒｅｑｕｅｎｃｙ  Ｄｉｖｉｓｉｏｎ  Ｄｕｐｌｅｘ）、ＸＯＬ（Ｔｉｍｅ−Ｆｒｅｑｕｅｎｃｙ  Ｏｖｅｒｌａｐｐｅｄ）とのうちのいずれかを、前記規格／勧告管理情報と前記ＰＳＤ管理情報と前記ビットマップ管理情報とに基づいて決定することを特徴とする請求項１から請求項６のいずれか記載のＡＤＳＬ動作モード設定システム。
【請求項８】
前記ＰＳＤの設定に関して優先度を付け、前記ＰＳＤの設定有効の優先度を前記規格／勧告管理情報＞前記ＰＳＤ管理情報とし、前記規格／勧告管理情報としてｏｖｅｒｌａｐｐｅｄを保持し、前記ＰＳＤ管理情報がＦｅｘｔ  Ｏｖｅｒｌａｐの場合、前記ＰＳＤの設定有効の優先度を前記規格／勧告管理情報＜前記ＰＳＤ動作管理情報としたことを特徴とする請求項７記載のＡＤＳＬ動作モード設定システム。
【請求項９】
前記ＡＤＳＬ回線の動作モードを定義付けるための情報を格納するＡＤＳＬ回線動作モード定義テーブル手段を含むことを特徴とする請求項１から請求項８のいずれか記載のＡＤＳＬ動作モード設定システム。
【請求項１０】
前記管理情報の正当性を判断する手段と、前記正当性と判断された時に前記ＡＤＳＬ回線動作モード定義テーブルの情報を基に前記ＡＤＳＬ回線の動作モードを決定する手段と、その決定したＡＤＳＬ回線の動作モードを前記局舎側のＡＤＳＬモデムに設定する手段とを含むことを特徴とする請求項９記載のＡＤＳＬ動作モード設定システム。
【請求項１１】
加入者側のＡＤＳＬ（Ａｓｙｍｍｅｔｒｉｃ  Ｄｉｇｉｔａｌ  Ｓｕｂｓｃｒｉｂｅｒ  Ｌｉｎｅ）モデムにＡＤＳＬ回線を介して接続される局舎側のＡＤＳＬモデムを含み、前記ＡＤＳＬ回線の動作モードを前記局舎側のＡＤＳＬモデムに設定する集線装置であって、前記ＡＤＳＬ回線の各種規格を管理するための規格／勧告管理情報と前記ＡＤＳＬ回線の上り回線及び下り回線のオーバラップの有無を示すＰＳＤ（Ｐｏｗｅｒ  Ｓｐｅｃｔｒａｌ  Ｄｅｎｓｉｔｙ）を管理するためのＰＳＤ管理情報と前記ＡＤＳＬ回線における信号の送受信タイミングを示すビットマップを管理するためのビットマップ管理情報とを含む管理情報を基に前記局舎側のＡＤＳＬモデムへの設定を管理する手段を有することを特徴とする集線装置。
【請求項１２】
前記ＰＳＤ管理情報は、ＥＣＨＯ（Ｅｃｈｏ  Ｃａｎｃｅｌｌａｔｉｏｎ  Ｍｏｄｅ）、ＦＤＭ（Ｆｒｅｑｕｅｎｃｙ  ＤｉｖｉｓｉｏｎＭｕｌｔｉｐｌｅｘｉｎｇ  Ｍｏｄｅ）、ＦｅｘｔＯｖｅｒｌａｐ［ＦＥＸＴ（Ｆａｒ  Ｅｎｄ  Ｃｒｏｓｓ  Ｔａｌｋ  Ｎｏｉｓｅ）  Ｏｖｅｒｌａｐｐｅｄ  Ｍｏｄｅ］の管理情報値を少なくとも含むことを特徴とする請求項１１記載の集線装置。
【請求項１３】
前記ビットマップ管理情報は、ＦＢＭ［ＦＥＸＴ（ＦａｒＥｎｄ  Ｃｒｏｓｓ  Ｔａｌｋ  Ｎｏｉｓｅ）  Ｂｉｔ  Ｍａｐ］、ＤＢＭ（Ｄｕａｌ  Ｂｉｔ  Ｍａｐ）、下りＤＢＭ方式／上りＦＢＭ方式、下りＦＢＭ方式／上りＤＢＭ方式の管理情報値を少なくとも含むことを特徴とする請求項１１または請求項１２記載の集線装置。
【請求項１４】
前記規格／勧告管理情報と前記ＰＳＤ管理情報と前記ビットマップ管理情報とを保持するＭＩＢ（Ｍａｎａｇｅｍｅｎｔ  Ｉｎｆｏｒｍａｔｉｏｎ  Ｂａｓｅ）を含むことを特徴とする請求項１１から請求項１３のいずれか記載の集線装置。
【請求項１５】
前記ＭＩＢを自装置内部に配設したことを特徴とする請求項１３記載の集線装置。
【請求項１６】
前記ＭＩＢを自装置外部に配設したことを特徴とする請求項１３記載の集線装置。
【請求項１７】
ＩＴＵ−Ｔ勧告Ｇ．９９２．１及びＩＴＵ−Ｔ勧告Ｇ．９９２．２にて標準化されている前記ＡＤＳＬ回線の動作モードのＤＢＭ（Ｄｕａｌ  Ｂｉｔ  Ｍａｐ）及びＦＢＭ［ＦＥＸＴ（Ｆａｒ  Ｅｎｄ  Ｃｒｏｓｓ  Ｔａｌｋ  Ｎｏｉｓｅ）  Ｂｉｔ  Ｍａｐ］と、他の動作モードＤＢＭ−ＯＬ（Ｄｕａｌ  Ｂｉｔ  Ｍａｐ−Ｏｖｅｒｌａｐｐｅｄ）、ＦＢＭ−ｓＯＬ（ＦＥＸＴＢｉｔ  Ｍａｐ−Ｓｈａｐｅｄ  Ｏｖｅｒｌａｐｐｅｄ）、ＸＤＤ（Ｔｉｍｅ−Ｆｒｅｑｕｅｎｃｙ  Ｄｉｖｉｓｉｏｎ  Ｄｕｐｌｅｘ）、ＸＯＬ（Ｔｉｍｅ−Ｆｒｅｑｕｅｎｃｙ  Ｏｖｅｒｌａｐｐｅｄ）とのうちのいずれかを、前記規格／勧告管理情報と前記ＰＳＤ管理情報と前記ビットマップ管理情報とに基づいて決定することを特徴とする請求項１１から請求項１６のいずれか記載の集線装置。
【請求項１８】
前記ＰＳＤの設定に関して優先度を付け、前記ＰＳＤの設定有効の優先度を前記規格／勧告管理情報＞前記ＰＳＤ管理情報とし、前記規格／勧告管理情報としてｏｖｅｒｌａｐｐｅｄを保持し、前記ＰＳＤ管理情報がＦｅｘｔ  Ｏｖｅｒｌａｐの場合、前記ＰＳＤの設定有効の優先度を前記規格／勧告管理情報＜前記ＰＳＤ動作管理情報としたことを特徴とする請求項１７記載の集線装置。
【請求項１９】
前記ＡＤＳＬ回線の動作モードを定義付けるための情報を格納するＡＤＳＬ回線動作モード定義テーブル手段を含むことを特徴とする請求項１１から請求項１８のいずれか記載の集線装置。
【請求項２０】
前記管理情報の正当性を判断する手段と、前記正当性と判断された時に前記ＡＤＳＬ回線動作モード定義テーブルの情報を基に前記ＡＤＳＬ回線の動作モードを決定する手段と、その決定したＡＤＳＬ回線の動作モードを前記局舎側のＡＤＳＬモデムに設定する手段とを含むことを特徴とする請求項１９記載の集線装置。
【請求項２１】
局舎側のＡＤＳＬ（Ａｓｙｍｍｅｔｒｉｃ  Ｄｉｇｉｔａｌ  Ｓｕｂｓｃｒｉｂｅｒ  Ｌｉｎｅ）モデムと加入者側のＡＤＳＬモデムとを接続するＡＤＳＬ回線の動作モードを前記局舎側のＡＤＳＬモデムに設定する集線装置におけるＡＤＳＬ動作モード設定方法であって、前記集線装置側に、前記ＡＤＳＬ回線の各種規格を管理するための規格／勧告管理情報と前記ＡＤＳＬ回線の上り回線及び下り回線のオーバラップの有無を示すＰＳＤ（Ｐｏｗｅｒ  Ｓｐｅｃｔｒａｌ  Ｄｅｎｓｉｔｙ）を管理するためのＰＳＤ管理情報と前記ＡＤＳＬ回線における信号の送受信タイミングを示すビットマップを管理するためのビットマップ管理情報とを含む管理情報を基に前記局舎側のＡＤＳＬモデムへの設定を管理するステップを有することを特徴とするＡＤＳＬ動作モード設定方法。
【請求項２２】
前記ＰＳＤ管理情報は、ＥＣＨＯ（Ｅｃｈｏ  Ｃａｎｃｅｌｌａｔｉｏｎ  Ｍｏｄｅ）、ＦＤＭ（Ｆｒｅｑｕｅｎｃｙ  ＤｉｖｉｓｉｏｎＭｕｌｔｉｐｌｅｘｉｎｇ  Ｍｏｄｅ）、ＦｅｘｔＯｖｅｒｌａｐ［ＦＥＸＴ（Ｆａｒ  Ｅｎｄ  Ｃｒｏｓｓ  Ｔａｌｋ  Ｎｏｉｓｅ）  Ｏｖｅｒｌａｐｐｅｄ  Ｍｏｄｅ］の管理情報値を少なくとも含むことを特徴とする請求項２１記載のＡＤＳＬ動作モード設定方法。
【請求項２３】
前記ビットマップ管理情報は、ＦＢＭ［ＦＥＸＴ（ＦａｒＥｎｄ  Ｃｒｏｓｓ  Ｔａｌｋ  Ｎｏｉｓｅ）  Ｂｉｔ  Ｍａｐ］、ＤＢＭ（Ｄｕａｌ  Ｂｉｔ  Ｍａｐ）、下りＤＢＭ方式／上りＦＢＭ方式、下りＦＢＭ方式／上りＤＢＭ方式の管理情報値を少なくとも含むことを特徴とする請求項２１または請求項２２記載のＡＤＳＬ動作モード設定方法。
【請求項２４】
前記規格／勧告管理情報と前記ＰＳＤ管理情報と前記ビットマップ管理情報とを保持するＭＩＢ（Ｍａｎａｇｅｍｅｎｔ  Ｉｎｆｏｒｍａｔｉｏｎ  Ｂａｓｅ）を含むことを特徴とする請求項２１から請求項２３のいずれか記載のＡＤＳＬ動作モード設定方法。
【請求項２５】
前記ＭＩＢを前記集線装置内部に配設したことを特徴とする請求項２３記載のＡＤＳＬ動作モード設定方法。
【請求項２６】
前記ＭＩＢを前記集線装置外部に配設したことを特徴とする請求項２３記載のＡＤＳＬ動作モード設定方法。
【請求項２７】
ＩＴＵ−Ｔ勧告Ｇ．９９２．１及びＩＴＵ−Ｔ勧告Ｇ．９９２．２にて標準化されている前記ＡＤＳＬ回線の動作モードのＤＢＭ（Ｄｕａｌ  Ｂｉｔ  Ｍａｐ）及びＦＢＭ［ＦＥＸＴ（Ｆａｒ  Ｅｎｄ  Ｃｒｏｓｓ  Ｔａｌｋ  Ｎｏｉｓｅ）  Ｂｉｔ  Ｍａｐ］と、他の動作モードＤＢＭ−ＯＬ（Ｄｕａｌ  Ｂｉｔ  Ｍａｐ−Ｏｖｅｒｌａｐｐｅｄ）、ＦＢＭ−ｓＯＬ（ＦＥＸＴＢｉｔ  Ｍａｐ−Ｓｈａｐｅｄ  Ｏｖｅｒｌａｐｐｅｄ）、ＸＤＤ（Ｔｉｍｅ−Ｆｒｅｑｕｅｎｃｙ  Ｄｉｖｉｓｉｏｎ  Ｄｕｐｌｅｘ）、ＸＯＬ（Ｔｉｍｅ−Ｆｒｅｑｕｅｎｃｙ  Ｏｖｅｒｌａｐｐｅｄ）とのうちのいずれかを、前記規格／勧告管理情報と前記ＰＳＤ管理情報と前記ビットマップ管理情報とに基づいて決定することを特徴とする請求項２１から請求項２６のいずれか記載のＡＤＳＬ動作モード設定方法。
【請求項２８】
前記ＰＳＤの設定に関して優先度を付け、前記ＰＳＤの設定有効の優先度を前記規格／勧告管理情報＞前記ＰＳＤ管理情報とし、前記規格／勧告管理情報としてｏｖｅｒｌａｐｐｅｄを保持し、前記ＰＳＤ管理情報がＦｅｘｔ  Ｏｖｅｒｌａｐの場合、前記ＰＳＤの設定有効の優先度を前記規格／勧告管理情報＜前記ＰＳＤ動作管理情報としたことを特徴とする請求項２７記載のＡＤＳＬ動作モード設定方法。
【請求項２９】
前記ＡＤＳＬ回線の動作モードを定義付けるための情報を格納するＡＤＳＬ回線動作モード定義テーブル手段を含むことを特徴とする請求項２１から請求項２８のいずれか記載のＡＤＳＬ動作モード設定システム。
【請求項３０】
前記集線装置側に、前記管理情報の正当性を判断するステップと、前記正当性と判断された時に前記ＡＤＳＬ回線動作モード定義テーブルの情報を基に前記ＡＤＳＬ回線の動作モードを決定するステップと、その決定したＡＤＳＬ回線の動作モードを前記局舎側のＡＤＳＬモデムに設定するステップとを含むことを特徴とする請求項２９記載のＡＤＳＬ動作モード設定方法。
【請求項３１】
局舎側のＡＤＳＬ（Ａｓｙｍｍｅｔｒｉｃ  Ｄｉｇｉｔａｌ  Ｓｕｂｓｃｒｉｂｅｒ  Ｌｉｎｅ）モデムと加入者側のＡＤＳＬモデムとを接続するＡＤＳＬ回線の動作モードを前記局舎側のＡＤＳＬモデムに設定する集線装置におけるＡＤＳＬ動作モード設定方法のプログラムであって、コンピュータに、前記ＡＤＳＬ回線の各種規格を管理するための規格／勧告管理情報と前記ＡＤＳＬ回線の上り回線及び下り回線のオーバラップの有無を示すＰＳＤ（Ｐｏｗｅｒ  Ｓｐｅｃｔｒａｌ  Ｄｅｎｓｉｔｙ）を管理するためのＰＳＤ管理情報と前記ＡＤＳＬ回線における信号の送受信タイミングを示すビットマップを管理するためのビットマップ管理情報とを含む管理情報を基に前記局舎側のＡＤＳＬモデムへの設定を管理する処理を実行させるためのプログラム。
【発明の詳細な説明】
【０００１】
【発明の属する技術分野】
本発明はＡＤＳＬ動作モード設定システム、集線装置及びそれらに用いる動作モード設定方法並びにそのプログラムに関し、特にＡＤＳＬ（Ａｓｙｍｍｅｔｒｉｃ  Ｄｉｇｉｔａｌ  Ｓｕｂｓｃｒｉｂｅｒ  Ｌｉｎｅ：非対称デジタル加入者線）回線の動作モード方式を複数の管理情報で管理し、その管理情報を利用してＡＤＳＬ回線の動作モードを設定する方法に関する。
【０００２】
【従来の技術】
近年、電話回線（メタリック・ケーブルによる加入者線）を使用したブロードバンド伝送が普及してきており、その電話回線を使用した伝送方式全体はｘＤＳＬ（ｘ  Ｄｉｇｉｔａｌ  Ｓｕｂｓｃｒｉｂｅｒ  Ｌｉｎｅ）と呼ばれている。このｘＤＳＬの伝送方式としては、ＡＤＳＬ、ＨＤＳＬ（Ｈｉｇｈ−ｂｉｔ−ｒａｔｅ  ＤＳＬ）、ＲＡＤＳＬ（Ｒａｔｅ−Ａｄａｐｔｉｖｅ  ＤＳＬ）、ＳＤＳＬ（Ｓｙｍｍｅｔｒｉｃ  ＤＳＬ）、ＶＤＳＬ（Ｖｅｒｙ−ｈｉｇｈ−ｂｉｔ−ｒａｔｅ  ＤＳＬ）がある。
【０００３】
これらの伝送方式の中でも、ＡＤＳＬは上り（加入者宅から電話局舎への方向）と下り（電話局舎から加入者宅への方向）とにおける通信速度が非対称であり、下り通信帯域として、最大、数〜１０数〜数１０Ｍｂｐｓの高速データ通信が提供されている。
【０００４】
ＡＤＳＬに関しては、ＩＴＵ−Ｔ（Ｉｎｔｅｒｎａｔｉｏｎａｌ  Ｔｅｌｅｃｏｍｍｕｎｉｃａｔｉｏｎ  Ｕｎｉｏｎ−ＴｅｌｅｃｏｍｍｕｎｉｃａｔｉｏｎＳｔａｎｄａｒｄｉｚａｔｉｏｎ  Ｓｅｃｔｏｒ）によって「Ｇ．ｄｍｔ」（例えば、非特許文献１参照）、「Ｇ．ｌｉｔｅ」（例えば、非特許文献２参照）として勧告化されている。このＡＤＳＬは、低価格で常時高速インタネットへの接続を可能とするサービスとして広く市場に提供されている。
【０００５】
しかしながら、ＡＤＳＬはそれに使用される電話回線の距離や線路の特性、及び電話局舎から加入者宅までの線路の周辺環境条件によって、データ通信速度や距離的な伝送特性に悪影響を受ける特徴がある。例えば、日本国内で展開されているＩＳＤＮ（Ｉｎｔｅｇｒａｔｅｄ  Ｓｅｒｖｉｃｅｓ  Ｄｉｇｉｔａｌ  Ｎｅｔｗｏｒｋ）サービスは、ＡＤＳＬ回線のデータ通信速度や伝送特性に悪影響を与える周辺環境条件の１つである。
【０００６】
このＩＳＤＮではＴＣＭ（Ｔｉｍｅ  Ｃｏｍｐｒｅｓｓｉｏｎ  Ｍｕｌｔｉｐｌｅｘｉｎｇ：ピンポン方式）と呼ばれる伝送方式が採用されており、１．２５ミリ秒毎に上り信号と下り信号とが交互にやりとりされている。ＡＤＳＬでは伝送クロックがＩＳＤＮの伝送クロックと同期しているため、この上り信号及び下り信号が漏話雑音（Ｃｒｏｓｓ  Ｔａｌｋ  Ｎｏｉｓｅ）となる。
【０００７】
ＴＣＭ−ＩＳＤＮサービスからの漏話雑音の影響を最小限にしてＡＤＳＬ回線のデータ通信速度や伝送特性を維持させる方式としては、Ｇ．ｄｍｔ勧告やＧ．ｌｉｔｅ勧告において、付録Ｃ（以下、Ａｎｎｅｘ  Ｃとする）が、主に日本向けのＡＤＳＬ技術仕様として勧告化されている。
【０００８】
ＴＣＭ−ＩＳＤＮサービスからの漏話雑音は主に２種類があり、一方はＮＥＸＴ（Ｎｅａｒ  Ｅｎｄ  Ｃｒｏｓｓ  Ｔａｌｋ  Ｎｏｉｓｅ：近端漏話雑音）、他方はＦＥＸＴ（Ｆａｒ  Ｅｎｄ  Ｃｒｏｓｓ  Ｔａｌｋ  Ｎｏｉｓｅ：遠端漏話雑音）である。ＮＥＸＴはケーブルの同じ端点の別のペア線の信号によって生成される漏話雑音であり、ＦＥＸＴはケーブルのもう一方の別のペア線の信号によって生成される漏話雑音である。一般的に、ＦＥＸＴは遠端から送信された信号によって生成されるが、回線の距離によって信号が減衰することから、ＮＥＸＴはＦＥＸＴよりも強い影響をＡＤＳＬに与えることとなる。
【０００９】
Ａｎｎｅｘ  ＣではＴＣＭ−ＩＳＤＮサービスの信号送受信タイミングに合わせ、ノイズ影響の大きいＮＥＸＴのタイミングで伝送速度（割当てビット数）を抑え、ノイズ影響の小さいＦＥＸＴのタイミングで高速伝送を行い、伝送速度（割当てビット数）を高めている。ここで、Ａｎｎｅｘ  Ｃによる信号送受信タイミングはビットマップ（Ｂｉｔ  Ｍａｐ）と呼ばれている。
【００１０】
すなわち、Ｇ．ｄｍｔ／Ｇ．ｌｉｔｅ  Ａｎｎｅｘ  Ｃは、ＮＥＸＴとＦＥＸＴとのそれぞれのタイミングにおいて、それぞれ２つの異なるビットマップ信号を使用してＡＤＳＬによるデータ送受信を実現する動作モード、ＤＢＭ（Ｄｕａｌ  Ｂｉｔ  Ｍａｐ）とＦＢＭ（ＦＥＸＴ  Ｂｉｔ  Ｍａｐ）とがある。
【００１１】
ＤＢＭはＮＥＸＴとＦＥＸＴとの干渉化、すなわちＮＥＸＴとＦＥＸＴとの両タイミングでそれぞれのビットマップ信号を送信する。ＦＢＭはＮＥＸＴ干渉化で信号を送信せず、ＦＥＸＴ干渉化あるいはＦＥＸＴタイミングのみでビットマップ信号を送信する。
【００１２】
Ｇ．ｄｍｔ  Ａｎｎｅｘ  Ｃでは上り最大１０２４Ｋｂｐｓ／下り最大８０６４Ｋｂｐｓ程度、Ｇ．ｌｉｔｅ  Ａｎｎｅｘ  Ｃでは上り最大５１２Ｋｂｐｓ／下り最大１０２４Ｋｂｐｓ程度の通信速度を実現している。
【００１３】
しかしながら、市場からのさらなる高速化及び長延化の要求によって、ＡＤＳＬの動作モードとしてＤＢＭやＦＢＭとは異なりかつ改良されたＡＤＳＬ通信方式が実現されている。この高速化及び長延化実現のための通信方式は、拡張版Ａｎｎｅｘ  Ｃ（以下、Ｃ．ｘとする）と呼ばれている。Ｃ．ｘは勧告化されているＡｎｎｅｘ  Ｃ仕様を拡大解釈した方式であり、このＣ．ｘによって下り最大速度１２Ｍｂｐｓが実現され、従来のＧ．ｄｍｔ／Ｇ．ｌｉｔｅ  Ａｎｎｅｘ  Ｃでは実現されなかった長距離の領域でも通信可能となる。
【００１４】
Ｃ．ｘにはその動作モードとして、ＤＢＭ−ＯＬ（Ｄｕａｌ  Ｂｉｔ  Ｍａｐ−Ｏｖｅｒｌａｐｐｅ  ｄ）、ＸＤＤ（Ｔｉｍｅ−Ｆｒｅｑｕｅｎｃｙ  Ｄｉｖｉｓｉｏｎ  Ｄｕｐｌｅｘ）、ＸＯＬ（Ｔｉｍｅ−Ｆｒｅｑｕｅｎｃｙ  Ｏｖｅｒｌａｐｐｅｄ）、ＦＢＭ−ｓＯＬ（Ｆｅｘｔ  Ｂｉｔ  Ｍａｐ−ＳｈａｐｅｄＯｖｅｒｌａｐｐｅｄ）がある。
【００１５】
ＤＢＭ−ＯＬは近距離において、ＡＤＳＬの下り最大速度通信速度を１２Ｍｂｐｓ程度までとして高速化を実現する動作モードであり、ＸＤＤやＸＯＬは中距離において、ＡＤＳＬの下り最大通信速度を現状値よりも最大数百Ｋｂｐｓ程度引き上げて高速化を実現する動作モードであり、ＦＢＭ−ｓＯＬは既存のＡＤＳＬ動作モードであるＤＢＭやＦＢＭでは到達することができなかった長距離の領域での接続性を向上させた動作モードである。
【００１６】
Ｇ．ｄｍｔ／Ｇ．ｌｉｔｅ  Ａｎｎｅｘ  ＣのＡＤＳＬ動作モードは日本向けのＡＤＳＬ技術仕様であることと、Ｃ．ｘのＡＤＳＬ動作モードは市場の需要に合わせ急速に開発されて市場に提供されたＡＤＳＬ方式であるため、ＩＴＵ−ＴやＩＥＴＦ（Ｉｎｔｅｒｎｅｔ  Ｅｎｇｉｎｅｅｒｉｎｇ  Ｔａｓｋ  Ｆｏｒｃｅ）において、これら動作モードの管理情報や設定方法の勧告化までに至っていない状況である。
【００１７】
したがって、加入者宅側のＡＤＳＬモデムや電話局舎側のＡＤＳＬモデムにおけるＡＤＳＬ動作モード管理／設定方法は、それらＡＤＳＬモデムや電話局舎内の集線装置それぞれの開発メーカ各々で独自に定義されている。
【００１８】
【非特許文献１】
ＩＴＵ−Ｔ勧告Ｇ．９９２．１
【非特許文献２】
ＩＴＵ−Ｔ勧告Ｇ．９９２．２
【００１９】
【発明が解決しようとする課題】
上述した従来のＡＤＳＬでは、Ｇ．ｄｍｔ／Ｇ．ｌｉｔｅ  Ａｎｎｅｘ  ＣのＤＢＭやＦＢＭの動作モードを管理するための管理情報が勧告化されていないため、Ｇ．ｄｍｔ／Ｇ．ｌｉｔｅ  Ａｎｎｅｘ  ＣのＤＢＭやＦＢＭの動作モードの管理情報、また管理情報を利用してのＡＤＳＬ動作モードの設定方法が、ＡＤＳＬモデムや電話局舎内の集線装置それぞれの開発メーカ各々で独自に定義され、標準化されていないという問題がある。
【００２０】
また、従来のＡＤＳＬでは、Ｇ．ｄｍｔ／Ｇ．ｌｉｔｅ  Ｃ．ｘのＤＢＭ−ＯＬ、ＸＤＤ、ＸＯＬ、ＦＢＭ−ｓＯＬの動作モードを管理するための管理情報が勧告化されていないため、Ｇ．ｄｍｔ／Ｇ．ｌｉｔｅ  Ａｎｎｅｘ  ＣのＤＢＭやＦＢＭの動作モードの管理情報、また管理情報を利用してのＡＤＳＬ動作モードの設定方法が開発メーカ各々で独自に定義され、標準化されていないという問題がある。
【００２１】
そこで、本発明の目的は上記の問題点を解消し、Ｇ．ｄｍｔ／Ｇ．ｌｉｔｅ  Ａｎｎｅｘ  ＣのＤＢＭやＦＢＭとＧ．ｄｍｔ／Ｇ．ｌｉｔｅ  Ｃ．ｘのＤＢＭ−ＯＬ、ＸＤＤ、ＸＯＬ、ＦＢＭ−ｓＯＬ各々の動作モードを管理するための管理情報を実現することができるＡＤＳＬ動作モード設定システム、集線装置及びそれらに用いるＡＤＳＬ動作モード設定方法並びにそのプログラムを提供することにある。
【００２２】
また、本発明の他の目的は、Ｇ．ｄｍｔ／Ｇ．ｌｉｔｅ  Ａｎｎｅｘ  ＣのＤＢＭやＦＢＭとＧ．ｄｍｔ／Ｇ．ｌｉｔｅ  Ｃ．ｘのＤＢＭ−ＯＬ、ＸＤＤ、ＸＯＬ、ＦＢＭ−ｓＯＬ各々の動作モードを加入者ＡＤＳＬシステムに設定することができるＡＤＳＬ動作モード設定システム、集線装置及びそれらに用いるＡＤＳＬ動作モード設定方法並びにそのプログラムを提供することにある。
【００２３】
【課題を解決するための手段】
本発明によるＡＤＳＬ動作モード設定システムは、局舎側のＡＤＳＬ（Ａｓｙｍｍｅｔｒｉｃ  Ｄｉｇｉｔａｌ  Ｓｕｂｓｃｒｉｂｅｒ  Ｌｉｎｅ）モデムと加入者側のＡＤＳＬモデムとを接続するＡＤＳＬ回線の動作モードを前記局舎側のＡＤＳＬモデムに設定する集線装置を含むＡＤＳＬ動作モード設定システムであって、前記ＡＤＳＬ回線の各種規格を管理するための規格／勧告管理情報と前記ＡＤＳＬ回線の上り回線及び下り回線のオーバラップの有無を示すＰＳＤ（Ｐｏｗｅｒ  Ｓｐｅｃｔｒａｌ  Ｄｅｎｓｉｔｙ）を管理するためのＰＳＤ管理情報と前記ＡＤＳＬ回線における信号の送受信タイミングを示すビットマップを管理するためのビットマップ管理情報とを含む管理情報を基に前記局舎側のＡＤＳＬモデムへの設定を管理する手段を備えている。
【００２４】
本発明による集線装置は、加入者側のＡＤＳＬ（Ａｓｙｍｍｅｔｒｉｃ  Ｄｉｇｉｔａｌ  Ｓｕｂｓｃｒｉｂｅｒ  Ｌｉｎｅ）モデムにＡＤＳＬ回線を介して接続される局舎側のＡＤＳＬモデムを含み、前記ＡＤＳＬ回線の動作モードを前記局舎側のＡＤＳＬモデムに設定する集線装置であって、前記ＡＤＳＬ回線の各種規格を管理するための規格／勧告管理情報と前記ＡＤＳＬ回線の上り回線及び下り回線のオーバラップの有無を示すＰＳＤ（Ｐｏｗｅｒ  Ｓｐｅｃｔｒａｌ  Ｄｅｎｓｉｔｙ）を管理するためのＰＳＤ管理情報と前記ＡＤＳＬ回線における信号の送受信タイミングを示すビットマップを管理するためのビットマップ管理情報とを含む管理情報を基に前記局舎側のＡＤＳＬモデムへの設定を管理する手段を備えている。
【００２５】
本発明によるＡＤＳＬ動作モード設定方法は、局舎側のＡＤＳＬ（Ａｓｙｍｍｅｔｒｉｃ  Ｄｉｇｉｔａｌ  Ｓｕｂｓｃｒｉｂｅｒ  Ｌｉｎｅ）モデムと加入者側のＡＤＳＬモデムとを接続するＡＤＳＬ回線の動作モードを前記局舎側のＡＤＳＬモデムに設定する集線装置におけるＡＤＳＬ動作モード設定方法であって、前記集線装置側に、前記ＡＤＳＬ回線の各種規格を管理するための規格／勧告管理情報と前記ＡＤＳＬ回線の上り回線及び下り回線のオーバラップの有無を示すＰＳＤ（Ｐｏｗｅｒ  Ｓｐｅｃｔｒａｌ  Ｄｅｎｓｉｔｙ）を管理するためのＰＳＤ管理情報と前記ＡＤＳＬ回線における信号の送受信タイミングを示すビットマップを管理するためのビットマップ管理情報とを含む管理情報を基に前記局舎側のＡＤＳＬモデムへの設定を管理するステップを備えている。
【００２６】
本発明によるＡＤＳＬ動作モード設定方法のプログラムは、局舎側のＡＤＳＬ（Ａｓｙｍｍｅｔｒｉｃ  Ｄｉｇｉｔａｌ  Ｓｕｂｓｃｒｉｂｅｒ  Ｌｉｎｅ）モデムと加入者側のＡＤＳＬモデムとを接続するＡＤＳＬ回線の動作モードを前記局舎側のＡＤＳＬモデムに設定する集線装置におけるＡＤＳＬ動作モード設定方法のプログラムであって、コンピュータに、前記ＡＤＳＬ回線の各種規格を管理するための規格／勧告管理情報と前記ＡＤＳＬ回線の上り回線及び下り回線のオーバラップの有無を示すＰＳＤ（Ｐｏｗｅｒ  Ｓｐｅｃｔｒａｌ  Ｄｅｎｓｉｔｙ）を管理するためのＰＳＤ管理情報と前記ＡＤＳＬ回線における信号の送受信タイミングを示すビットマップを管理するためのビットマップ管理情報とを含む管理情報を基に前記局舎側のＡＤＳＬモデムへの設定を管理する処理を実行させる。
【００２７】
すなわち、本発明のＡＤＳＬ（Ａｓｙｍｍｅｔｒｉｃ  Ｄｉｇｉｔａｌ  Ｓｕｂｓｃｒｉｂｅｒ  Ｌｉｎｅ：非対称デジタル加入者線）動作モード設定システムは、Ｇ．ｄｍｔ／Ｇ．ｌｉｔｅ  Ａｎｎｅｘ  ＣのＤＢＭ（Ｄｕａｌ  ＢｉｔＭａｐ）やＦＢＭ［ＦＥＸＴ（Ｆａｒ  Ｅｎｄ  Ｃｒｏｓｓ  Ｔａｌｋ  Ｎｏｉｓｅ：遠端漏話雑音）  Ｂｉｔ  Ｍａｐ］の動作モードのみならず、Ｇ．ｄｍｔ／Ｇ．ｌｉｔｅ  Ｃ．ｘ（拡張版Ａｎｎｅｘ  Ｃ）のＤＢＭ−ＯＬ（ＤｕａｌＢｉｔ  Ｍａｐ−Ｏｖｅｒｌａｐｐｅｄ）、ＸＤＤ（Ｔｉｍｅ−Ｆｒｅｑｕｅｎｃｙ  Ｄｉｖｉｓｉｏｎ  Ｄｕｐｌｅｘ）、ＸＯＬ（Ｔｉｍｅ−Ｆｒｅｑｕｅｎｃｙ  Ｏｖｅｒｌａｐｐｅｄ）、ＦＢＭ−ｓＯＬ（ＦＥＸＴ  Ｂｉｔ  Ｍａｐ−Ｓｈａｐｅｄ  Ｏｖｅｒｌａｐｐｅｄ）各々の動作モードを管理可能な管理情報を備えている。
【００２８】
より具体的に説明すると、本発明のＡＤＳＬ動作モード設定システムでは、集線装置［例えば、ＤＳＬＡＭ（Ｄｉｇｉｔａｌ  Ｓｕｂｓｃｒｉｂｅｒ  Ｌｉｎｅ  Ａｃｃｅｓｓ  Ｍｕｌｔｉｐｌｅｘｅｒ：ディジタル加入者回線アクセス多重化装置）］と、ＤＳＬＡＭ管理システムであるＮＭＳ（Ｎｅｔｗｏｒｋ  Ｍａｎａｇｅｍｅｎｔ  Ｓｙｓｔｅｍ：ネットワーク管理システム）とが、ＭＩＢ（Ｍａｎａｇｅｍｅｎｔ  Ｉｎｆｏｒｍａｔｉｏｎ  Ｂａｓｅ）の中にＡＤＳＬ動作モードを示すための管理情報を有している。
【００２９】
また、本発明の他のＡＤＳＬ動作モード設定システムは、ＡＤＳＬ動作モードを示すための管理情報を参照して動作モードを判定し、その判定結果に応じて局舎側のＡＤＳＬモデムに動作モードを設定する機能を備えている。
【００３０】
より具体的に説明すると、本発明の他のＡＤＳＬ動作モード設定システムでは、ＤＳＬＡＭまたはＮＭＳが、ＡＤＳＬ動作モードを示すための管理情報を参照して動作モードを判定し、その判定結果に応じて局舎側のＡＤＳＬモデムに動作モードを設定するＡＤＳＬ回線動作モード判定／設定部を有している。
【００３１】
さらに、本発明の別のＡＤＳＬ動作モード設定システムは、ＡＤＳＬ動作モードを示すための管理情報を参照して動作モードを判定し、その判定結果に応じて局舎側のＡＤＳＬモデムに動作モードを設定する機能を備えるＤＳＬＡＭまたはＮＭＳが、ＡＤＳＬ回線動作モード判定／設定部に管理情報と動作モードとの対応表となるＡＤＳＬ回線動作モード定義テーブルを有している。
【００３２】
ＡＤＳＬ回線動作モード判定／設定部はＭＩＢの中に格納されたＡＤＳＬ動作モードを示すための管理情報の値を参照し、ＡＤＳＬ回線動作モード定義テーブルに保持された値と比較する。ＡＤＳＬ回線動作モード判定／設定部はその比較結果を取得してＡＤＳＬ回線（局舎側のＡＤＳＬモデム）に動作モードを設定する。
【００３３】
これによって、本発明のＡＤＳＬ動作モード設定システムでは、Ｇ．ｄｍｔ／Ｇ．ｌｉｔｅ  Ａｎｎｅｘ  ＣのＤＢＭやＦＢＭとＧ．ｄｍｔ／Ｇ．ｌｉｔｅ  Ｃ．ｘのＤＢＭ−ＯＬ、ＸＤＤ、ＸＯＬ、ＦＢＭ−ｓＯＬ各々の動作モードを管理するための管理情報を実現することが可能となる。
【００３４】
また、本発明のＡＤＳＬ動作モード設定システムでは、Ｇ．ｄｍｔ／Ｇ．ｌｉｔｅ  Ａｎｎｅｘ  ＣのＤＢＭやＦＢＭとＧ．ｄｍｔ／Ｇ．ｌｉｔｅ  Ｃ．ｘのＤＢＭ−ＯＬ、ＸＤＤ、ＸＯＬ、ＦＢＭ−ｓＯＬ各々の動作モードの管理情報を利用して、各動作モードを加入者ＡＤＳＬシステムに設定することが可能となる。
【００３５】
【発明の実施の形態】
次に、本発明の実施例について図面を参照して説明する。図１は本発明の第１の実施例によるＡＤＳＬ（Ａｓｙｍｍｅｔｒｉｃ  Ｄｉｇｉｔａｌ  Ｓｕｂｓｃｒｉｂｅｒ  Ｌｉｎｅ：非対称デジタル加入者線）動作モード設定システムの構成を示すブロック図である。
【００３６】
図１において、本発明の第１の実施例によるＡＤＳＬ動作モード設定システムは集線装置［例えば、ＤＳＬＡＭ（Ｄｉｇｉｔａｌ  Ｓｕｂｓｃｒｉｂｅｒ  Ｌｉｎｅ  Ａｃｃｅｓｓ  Ｍｕｌｔｉｐｌｅｘｅｒ：ディジタル加入者回線アクセス多重化装置）］１と、加入者宅に設置されるＡＴＵ−Ｒ（ＡＤＳＬ  Ｔｅｒｍｉｎａｔｉｏｎ  Ｕｎｉｔ−Ｒｅｍｏｔｅ：加入者側ＡＤＳＬモデム）２−１〜２−ｎと、ＤＳＬＡＭ管理システム、一般的にネットワーク管理システムであるＮＭＳ（Ｎｅｔｗｏｒｋ  Ｍａｎａｇｅｍｅｎｔ  Ｓｙｓｔｅｍ）３とから構成されている。
【００３７】
集線装置１はＡＤＳＬ回線動作モード判定／設定部１１と、エージェント１２と、多数の管理情報が格納されるＭＩＢ（Ｍａｎａｇｅｍｅｎｔ  Ｉｎｆｏｒｍａｔｉｏｎ  Ｂａｓｅ）１３と、ＡＴＵ−Ｃ（ＡＤＳＬ  Ｔｅｒｍｉｎａｔｉｏｎ  Ｕｎｉｔ−Ｃｅｎｔｒａｌ  Ｏｆｆｉｃｅ：局舎側ＡＤＳＬモデム）１４−１〜１４−ｎと、ＡＤＳＬ回線動作モード定義テーブル１５と、装置内の各部で実行されるプログラム（コンピュータ度実行可能なプログラム）を格納する記録媒体１６とを具備している。ＮＭＳ３はマネージャ３１を具備している。
【００３８】
集線装置１とＮＭＳ３とはそれぞれネットワーク１００に接続されており、ＮＭＳ３はネットワーク１００と集線装置１とを管理する。集線装置１内のＡＴＵ−Ｃ１４−１〜１４−ｎはそれぞれの電話回線２０１〜２０ｎを介してそれぞれに対応するＡＴＵ−Ｒ２−１〜２−ｎに接続されている。これら電話回線２０１〜２０ｎはＡＴＵ−Ｃ１４−１〜１４−ｎ及びＡＴＵ−Ｒ２−１〜２−ｎにＡＤＳＬ回線の動作モードを設定することで、高速データ通信を可能とするＡＤＳＬ回線となる。
【００３９】
ＡＤＳＬ回線動作モード判定／設定部１１はエージェント１２から受信したＡＤＳＬ回線の動作モードに関する情報によってＡＤＳＬ回線の動作モードを判定し、それぞれのＡＴＵ−Ｃ１４−１〜１４−ｎにＡＤＳＬ回線の動作モードを設定する機能を有している。
【００４０】
エージェント１２とマネージャ３１とはネットワーク１００を介して装置管理情報を送受信する。また、エージェント１２は管理情報を格納してデータベースとするＭＩＢ１３を管理する機能と、ＡＤＳＬ回線動作モード判定／設定部１１との間でＡＤＳＬ回線の動作モードに関する情報を送受信する機能とを有している。
【００４１】
ＡＴＵ−Ｃ１４−１〜１４−ｎとそれぞれ対応するＡＴＵ−Ｒ２−１〜２−ｎとの間は、ＡＤＳＬ回線動作モード判定／設定部１１から設定されたＡＤＳＬ回線の動作モードによって動作する。
【００４２】
図２は本発明の第１の実施例による管理情報を示す図であり、図３（ａ），（ｂ）は上り信号と下り信号の周波数重なりの状態を示す図である。
【００４３】
図２はＧ．ｄｍｔ／Ｇ．ｌｉｔｅ  Ａｎｎｅｘ  Ｃ／Ｃ．ｘ（拡張版Ａｎｎｅｘ  Ｃ）の動作モードを管理するための管理情報を示している。この管理情報は、規格（勧告）を管理するための情報（ａｄｓｌＬｉｎｅＴｒａｎｓＡｔｕｃＣａｐの管理情報値）２１と、ＰＳＤ（Ｐｏｗｅｒ  Ｓｐｅｃｔｒａｌ  Ｄｅｎｓｉｔｙ）を管理するための情報（ＰＳＤの管理情報値）２２と、ビットマップを管理するための情報（ビットマップの管理情報値）２３とからなる。ここで、ＰＳＤはＡＤＳＬ回線の上り回線及び下り回線のオーバラップの有無を示すものであり、ビットマップはＡＤＳＬ回線における信号の送受信タイミングを示すものである。
【００４４】
Ｇ．ｄｍｔ／Ｇ．ｌｉｔｅ  Ａｎｎｅｘ  Ｃ／Ｃ．ｘの動作モードとしては、ＤＢＭ（Ｄｕａｌ  Ｂｉｔ  Ｍａｐ）、ＦＢＭ［ＦＥＸＴ（Ｆａｒ  Ｅｎｄ  Ｃｒｏｓｓ  Ｔａｌｋ  Ｎｏｉｓｅ：遠端漏話雑音）  Ｂｉｔ  Ｍａｐ］、ＤＢＭ−ＯＬ（Ｄｕａｌ  Ｂｉｔ  Ｍａｐ−Ｏｖｅｒｌａｐｐｅ  ｄ）、ＸＤＤ（Ｔｉｍｅ−Ｆｒｅｑｕｅｎｃｙ  Ｄｉｖｉｓｉｏｎ  Ｄｕｐｌｅｘ）、ＸＯＬ（Ｔｉｍｅ−Ｆｒｅｑｕｅｎｃｙ  Ｏｖｅｒｌａｐｐｅｄ）、ＦＢＭ−ｓＯＬ（Ｆｅｘｔ  Ｂｉｔ  Ｍａｐ−Ｓｈａｐｅｄ  Ｏｖｅｒｌａｐｐｅｄ）がある。
【００４５】
上記の動作モード各々は、ａｄｓｌＬｉｎｅＴｒａｎｓＡｔｕｃＣａｐの管理情報値２１に含まれる情報（Ｂｉｔ０１〜Ｂｉｔ１２の情報）と、ＰＳＤの管理情報値２２に含まれる情報［ＥＣＨＯ（Ｅｃｈｏ  Ｃａｎｃｅｌｌａｔｉｏｎ  Ｍｏｄｅ）、ＦＤＭ（Ｆｒｅｑｕｅｎｃｙ  Ｄｉｖｉｓｉｏｎ  Ｍｕｌｔｉｐｌｅｘ  Ｍｏｄｅ）、ＦｅｘｔＯｖｅｒｌａｐ（ＦＥＸＴ  ＯｖｅｒｌａｐｐｅｄＭｏｄｅ）の情報］と、ビットマップの管理情報値２３に含まれる情報［ＦＢＭ（ＦＥＸＴ−ＢＩＴ−ＭＡＰ）、ＤＢＭ（ＤＵＡＬ−ＢＩＴ−ＭＡＰ）、ＤＢＭ／ＦＢＭ（ＤＢＭ  Ｄｏｗｎｓｔｒｅａｍ／ＦＢＭ  Ｕｐｓｔｒｅａｍ）、ＦＢＭ／ＤＢＭ（ＦＢＭ  Ｄｏｗｎｓｔｒｅａｍ／ＤＢＭ  Ｕｐｓｔｒｅａｍ）の情報］によって管理制御される。
【００４６】
ａｄｓｌＬｉｎｅＴｒａｎｓＡｔｕｃＣａｐの管理情報値２１は「Ｂｉｔ０１：Ｒｅｇｉｏｎａｌ  Ｓｔｄ．（ＡＮＳＩ  Ｔ１．４１３）」、「Ｂｉｔ０２：Ｒｅｇｉｏｎａｌ  Ｓｔｄ．（ＥＴＳＩ  ＤＴＳ／ＴＭ０６００６）」、「Ｂｉｔ０３：Ｇ．９９２．１  ＰＯＴＳ  ｎｏｎ−ｏｖｅｒｌａｐｐｅｄ」、「Ｂｉｔ０４：Ｇ．９９２．１  ＰＯＴＳ  ｏｖｅｒｌａｐｐｅｄ」、「Ｂｉｔ０５：Ｇ．９９２．１  ＩＳＤＮ  ｎｏｎ−ｏｖｅｒｌａｐｐｅｄ」、「Ｂｉｔ０６：Ｇ．９９２．１  ＩＳＤＮ  ｏｖｅｒｌａｐｐｅｄ」、「Ｂｉｔ０７：Ｇ．９９２．１  ＴＣＭ−ＩＳＤＮ  ｎｏｎ−ｏｖｅｒｌａｐｐｅｄ」、「Ｂｉｔ０８：Ｇ．９９２．１  ＴＣＭ−ＩＳＤＮ  ｏｖｅｒｌａｐｐｅｄ」、「Ｂｉｔ０９：Ｇ．９９２．２  ＰＯＴＳ  ｎｏｎ−ｏｖｅｒｌａｐｐｅｄ」、「Ｂｉｔ１０：Ｇ．９９２．２  ＰＯＴＳ  ｏｖｅｒｌａｐｐｅｄ」、「Ｂｉｔ１１：Ｇ．９９２．２  ｗｉｔｈ  ＴＣＭ−ＩＳＤＮ  ｎｏｎ−ｏｖｅｒｌａｐｐｅｄ」、「Ｂｉｔ１２：Ｇ．９９２．２  ｗｉｔｈ  ＴＣＭ−ＩＳＤＮ  ｏｖｅｒｌａｐｐｅｄ」を含んでいる。
【００４７】
ａｄｓｌＬｉｎｅＴｒａｎｓＡｔｕｃＣａｐの管理情報値２１、ＰＳＤ動作の管理情報値２２、ビットマップ動作の管理情報値２３各々はエージェント１２が制御するＭＩＢ１３に格納されている。尚、ＭＩＢ１３への管理情報の格納はＮＭＳ３のマネージャ３１がネットワーク１００及びエージェント１２を介して行ってもよく、またオペレータが人手によって行ってもよい。
【００４８】
ａｄｓｌＬｉｎｅＴｒａｎｓＡｔｕｃＣａｐの管理情報値２１はＩＥＴＦ（Ｉｎｔｅｒｎｅｔ  Ｅｎｇｉｎｅｅｒｉｎｇ  Ｔａｓｋ  Ｆｏｒｃｅ）によって、ＡＤＳＬ  ２  ＭＩＢとして既に勧告化されているＡＤＳＬ方式の規格／勧告種別を定義するための管理情報である。ａｄｓｌＬｉｎｅＴｒａｎｓＡｔｕｃＣａｐの管理情報値２１内のＢｉｔ０１〜Ｂｉｔ１２までの値は既存の管理情報値である。本実施例においては、特にａｄｓｌＬｉｎｅＴｒａｎｓＡｔｕｃＣａｐの管理情報２１のＢｉｔ０７と、Ｂｉｔ０８と、Ｂｉｔ１１と、Ｂｉｔ１２とを利用するものとする。
【００４９】
Ｂｉｔ０７のＧ．９９２．１  ＴＣＭ−ＩＳＤＮ  ｎｏｎ−ｏｖｅｒｌａｐｐｅｄは「Ｇ．ｄｍｔ  Ａｎｎｅｘ  Ｃ  ＰＳＤオーバラップなし」を意味し、Ｂｉｔ０８のＧ．９９２．１  ＴＣＭ−ＩＳＤＮ  ｏｖｅｒｌａｐｐｅｄは「Ｇ．ｄｍｔ  Ａｎｎｅｘ  Ｃ  ＰＳＤオーバラップあり」を意味し、Ｂｉｔ１１のＧ．９９２．２  ｗｉｔｈ  ＴＣＭ−ＩＳＤＮ  ｎｏｎ−ｏｖｅｒｌａｐｐｅｄは「Ｇ．ｌｉｔｅ  Ａｎｎｅｘ  Ｃ  ＰＳＤオーバラップなし」を意味し、Ｂｉｔ１２のＧ．９９２．２  ｗｉｔｈ  ＴＣＭ−ＩＳＤＮ  ｏｖｅｒｌａｐｐｅｄは「Ｇ．ｌｉｔｅ  Ａｎｎｅｘ  Ｃ  ＰＳＤオーバラップあり」を意味している。
【００５０】
ｏｖｅｒｌａｐｐｅｄはＥｃｈｏ  Ｃａｎｃｅｌｌｅｄ（エコーキャンセラ方式）やＦｕｌｌ  Ｏｖｅｒｌａｐｐｅｄとも呼ばれ、上り信号と下り信号とが低周波数帯域と時間域とでオーバラップして（重なって）利用されることを意味している。ｏｖｅｒｌａｐｐｅｄにおける上り信号と下り信号との周波数重なりの状態を図３（ａ）に示す。
【００５１】
一方、ｎｏｎ−ｏｖｅｒｌａｐｐｅｄはＦＤＭ（Ｆｒｅｑｕｅｎｃｙ  Ｄｉｖｉｓｉｏｎ  Ｍｕｌｔｉｐｌｅｘｉｎｇ：周波数分割多重）とも呼ばれ、上り信号と下り信号との低周波数帯域を分割して独立に利用することを意味している。ｎｏｎ−ｏｖｅｒｌａｐｐｅｄにおける上り信号と下り信号との周波数の状態を図３（ｂ）に示す。
【００５２】
ＰＳＤの管理情報値２２はＡＤＳＬにおける周波数帯域の利用方法を定義するための管理情報であり、規定のａｄｓｌＬｉｎｅＴｒａｎｓＡｔｕｃＣａｐの管理情報値２１の冗長的な管理情報値も含まれるが、これはＡＤＳＬにおける周波数帯域の使用方法を規定のａｄｓｌＬｉｎｅＴｒａｎｓＡｔｕｃＣａｐの管理情報値２１とは個別に管理設定して意味を持たせるために備えている。
【００５３】
ＰＳＤの管理情報値２２のＥＣＨＯは上記のｏｖｅｒｌａｐｐｅｄと同意であり、ＦＤＭは上記のｎｏｎーｏｖｅｒｌａｐｐｅｄと同意である。Ｆｅｘｔ  ＯｖｅｒｌａｐはＦＥＸＴのタイミングのみ、上り信号と下り信号とがオーバラップする動作状態であることを意味している。すなわち、集線装置１のＡＴＵ−Ｃ１４−１〜１４−ｎはＮＥＸＴのタイミングにおいてＦＤＭの状態［図３（ｂ）］となり、ＦＥＸＴのタイミングにおいてＥＣＨＯの状態［図３（ａ）］になることを意味している。
【００５４】
ビットマップの管理情報値２３はＡＤＳＬにおけるビットマップを示す管理情報であり、管理情報値として、ＦＢＭと、ＤＢＭと、ＤＢＭ／ＦＢＭ（下りＤＢＭ方式／上りＦＢＭ方式）と、ＦＢＭ／ＤＢＭ（下りＦＢＭ方式／上りＤＢＭ方式）とを備えている。
【００５５】
ＦＢＭは下り信号及び上り信号共に、ＦＥＸＴ  Ｂｉｔ  Ｍａｐを使用することを意味し、ＤＢＭは下り信号及び上り信号共に、Ｄｕａｌ  Ｂｉｔ  Ｍａｐを使用することを意味し、ＤＢＭ／ＦＢＭは下り信号でＤｕａｌ  Ｂｉｔ  Ｍａｐ、上り信号でＦＥＸＴ  Ｂｉｔ  Ｍａｐをそれぞれ使用することを意味し、ＦＢＭ／ＤＢＭは下り信号でＦＥＸＴ  Ｂｉｔ  Ｍａｐ、上り信号でＤｕａｌ  Ｂｉｔ  Ｍａｐをそれぞれ使用することを意味している。すなわち、上り信号及び下り信号のビットマップ情報の組合せを表現して管理する情報である。
【００５６】
図４及び図５は本発明の第１の実施例によるＡＤＳＬ回線動作モード定義テーブルの構成を示す図であり、図６はＡＤＳＬの動作モード形態を示す図である。図６（ａ）は「ＤＢＭ」、図６（ｂ）は「ＦＢＭ」、図６（ｃ）は「ＤＢＭ−ＯＬ」、図６（ｄ）は「ＦＢＭ−ｓＯＬ」、図６（ｅ）は「ＸＤＤ」、図６（ｆ）は「ＸＯＬ」をそれぞれ示しており、周波数のキャリア番号「３２」以下が上り信号のための周波数割当てであり、周波数のキャリア番号「３２」以上が下り信号のための周波数割当てである。
【００５７】
これら図４〜図６を参照して、ＡＤＳＬ回線動作モード判定／設定部１１が保持する管理情報との動作モード対応表となるＡＤＳＬ回線動作モード定義テーブル１５ａ，１５ｂについて説明する。
【００５８】
ＡＤＳＬ回線動作モード定義テーブル１５ａ，１５ｂには、ＡＤＳＬ回線の動作モードを決定するための管理情報（ａｄｓｌＬｉｎｅＴｒａｎｓＡｔｕｃＣａｐの管理情報値２１）と、ＰＳＤの管理情報値２２と、ビットマップの管理情報値２３と、実際に集線装置１内のＡＴＵ−Ｃ１４−１〜１４−ｎとにそれぞれ設定するＧ．ｄｍｔ／Ｇ．ｌｉｔｅ  Ａｎｎｅｘ  Ｃ／Ｃ．ｘの動作モードの対応付けが定義されている。
【００５９】
ＡＤＳＬ回線動作モード定義テーブル１５ａ，１５ｂにはＧ．ｄｍｔ／Ｇ．ｌｉｔｅ  Ａｎｎｅｘ  Ｃ／Ｃ．ｘの動作モードの設定のみならず、必要に応じて、ＡＴＵ−Ｃ１４−１〜１４−ｎに設定すべき規格動作の設定情報やＰＳＤの設定情報等の対応付けも定義することができる。
【００６０】
ＡＤＳＬ回線動作モード定義テーブル１５ａとＡＤＳＬ回線動作モード定義テーブル１５ｂとの差異は、ａｄｓｌＬｉｎｅＴｒａｎｓＡｔｕｃＣａｐの管理情報値２１におけるＧ．９９２．１とＧ．９９２．２との違いである。ＡＤＳＬ回線動作モード定義テーブル１５ａではａｄｓｌＬｉｎｅＴｒａｎｓＡｔｕｃＣａｐの管理情報値２１がＧ．９９２．１  ＴＣＭ−ＩＳＤＮ  ｎｏｎ−ｏｖｅｒｌａｐｐｅｄやＧ．９９２．１  ＴＣＭ−ＩＳＤＮ  ｏｖｅｒｌａｐｐｅｄの管理情報値をとるために、対応する規格動作設定をＧ．ｄｍｔとしている。
【００６１】
一方、ＡＤＳＬ回線動作モード定義テーブル１５ｂではａｄｓｌＬｉｎｅＴｒａｎｓＡｔｕｃＣａｐの管理情報値２１がＧ．９９２．２  ｗｉｔｈ  ＴＣＭ−ＩＳＤＮ  ｎｏｎ−ｏｖｅｒｌａｐｐｅｄやＧ．９９２．２  ｗｉｔｈ  ＴＣＭ−ＩＳＤＮ  ｏｖｅｒｌａｐｐｅｄの管理情報値をとるために、対応する規格動作設定をＧ．ｌｉｔｅとしている。
【００６２】
ＡＤＳＬ回線動作モード判定／設定部１１はＡＤＳＬ回線の契約工事時に通知されたそれぞれの管理情報値の組合せから、適応する動作モード設定値をＡＤＳＬ回線動作モード定義テーブル１５ａ，１５ｂから検索／判定し、動作モード設定情報を取得し、集線装置１内のＡＴＵ−Ｃ１４−１〜１４−ｎにそれぞれ設定する。
【００６３】
ＡＤＳＬ回線動作モード定義テーブル１５ａ，１５ｂでは、上述したように、ＰＳＤの設定情報が冗長的となるため、ＡＤＳＬ回線動作モード定義テーブル１５ａ，１５ｂ内の”動作モード設定値”構築時に、ＰＳＤの設定に関して優先度を付ける。通常、ＰＳＤの設定有効の優先度をａｄｓｌＬｉｎｅＴｒａｎｓＡｔｕｃＣａｐの管理情報値２１＞ＰＳＤの管理情報値２２とする。
【００６４】
ａｄｓｌＬｉｎｅＴｒａｎｓＡｔｕｃＣａｐの管理情報値２１がｏｖｅｒｌａｐｐｅｄと保持し、ＰＳＤの管理情報値２２がＦｅｘｔ  Ｏｖｅｒｌａｐの場合のみ、ＰＳＤの設定有効の優先度をａｄｓｌＬｉｎｅＴｒａｎｓＡｔｕｃＣａｐの管理情報値２１＜ＰＳＤの管理情報値２２として、管理情報設定に関して矛盾が発生しないこととする。
【００６５】
ＤＢＭ［図６（ａ）］、ＦＢＭ［図６（ｂ）］、ＤＢＭ−ＯＬ［図６（ｃ）］、ＦＢＭ−ｓＯＬ［図６（ｄ）］、ＸＤＤ［図６（ｅ）］、ＸＯＬ［図６（ｆ）］の各ＡＤＳＬ動作モードをａｄｓｌＬｉｎｅＴｒａｎｓＡｔｕｃＣａｐの管理情報値２１、ＰＳＤの管理情報値２２、ビットマップの管理情報値２３各々の管理情報にマッピングして表現すると、ＡＤＳＬ回線動作モード定義テーブル１５ａ，１５ｂに示すような定義となる。
【００６６】
以下、この定義について、図４〜図６を参照して説明する。まず、ａｄｓｌＬｉｎｅＴｒａｎｓＡｔｕｃＣａｐの管理情報値２１が「Ｇ．９９２．１  ＴＣＭ−ＩＳＤＮ  ｎｏｎ−ｏｖｅｒｌａｐｐｅｄ」で、ＰＳＤの管理情報値２２が「ＥＣＨＯ」で、ビットマップの管理情報値２３が「ＦＢＭ」の場合には、ＡＤＳＬ回線動作モード定義テーブル１５ａから動作モードの設定として「ＦＢＭ」が選択決定される。これを式で表すと、
Ｇ．９９２．１  ＴＣＭ−ＩＳＤＮ  ｎｏｎ−ｏｖｅｒｌａｐｐｅｄ＋ＥＣＨＯ＋ＦＢＭ＝ＦＢＭ                                    ・・・（１）
となる。
【００６７】
ａｄｓｌＬｉｎｅＴｒａｎｓＡｔｕｃＣａｐの管理情報値２１が「Ｇ．９９２．１  ＴＣＭ−ＩＳＤＮ  ｎｏｎ−ｏｖｅｒｌａｐｐｅｄ」で、ＰＳＤの管理情報値２２が「ＥＣＨＯ」で、ビットマップの管理情報値２３が「ＤＢＭ」の場合には、ＡＤＳＬ回線動作モード定義テーブル１５ａから動作モードの設定として「ＤＢＭ」が選択決定される。これを式で表すと、
Ｇ．９９２．１  ＴＣＭ−ＩＳＤＮ  ｎｏｎ−ｏｖｅｒｌａｐｐｅｄ＋ＥＣＨＯ＋ＤＢＭ＝ＤＢＭ                                    ・・・（２）
となる。
【００６８】
ａｄｓｌＬｉｎｅＴｒａｎｓＡｔｕｃＣａｐの管理情報値２１が「Ｇ．９９２．１  ＴＣＭ−ＩＳＤＮ  ｎｏｎ−ｏｖｅｒｌａｐｐｅｄ」で、ＰＳＤの管理情報値２２が「ＦＤＭ」で、ビットマップの管理情報値２３が「ＦＢＭ」の場合には、ＡＤＳＬ回線動作モード定義テーブル１５ａから動作モードの設定として「ＦＢＭ」が選択決定される。これを式で表すと、
Ｇ．９９２．１  ＴＣＭ−ＩＳＤＮ  ｎｏｎ−ｏｖｅｒｌａｐｐｅｄ＋ＦＤＭ＋ＦＢＭ＝ＦＢＭ                                      ・・・（３）
となる。
【００６９】
ａｄｓｌＬｉｎｅＴｒａｎｓＡｔｕｃＣａｐの管理情報値２１が「Ｇ．９９２．１  ＴＣＭ−ＩＳＤＮ  ｎｏｎ−ｏｖｅｒｌａｐｐｅｄ」で、ＰＳＤの管理情報値２２が「ＦＤＭ」で、ビットマップの管理情報値２３が「ＤＢＭ」の場合には、ＡＤＳＬ回線動作モード定義テーブル１５ａから動作モードの設定として「ＤＢＭ」が選択決定される。これを式で表すと、
Ｇ．９９２．１  ＴＣＭ−ＩＳＤＮ  ｎｏｎ−ｏｖｅｒｌａｐｐｅｄ＋ＦＤＭ＋ＤＢＭ＝ＤＢＭ                                      ・・・（４）
となる。
【００７０】
ａｄｓｌＬｉｎｅＴｒａｎｓＡｔｕｃＣａｐの管理情報値２１が「Ｇ．９９２．１  ＴＣＭ−ＩＳＤＮ  ｎｏｎ−ｏｖｅｒｌａｐｐｅｄ」で、ＰＳＤの管理情報値２２が「ＦｅｘｔＯｖｅｒｌａｐ」で、ビットマップの管理情報値２３が「ＦＢＭ」の場合には、ＡＤＳＬ回線動作モード定義テーブル１５ａから動作モードの設定として「ＦＢＭ」が選択決定される。これを式で表すと、
Ｇ．９９２．１  ＴＣＭ−ＩＳＤＮ  ｎｏｎ−ｏｖｅｒｌａｐｐｅｄ＋ＦｅｘｔＯｖｅｒｌａｐ＋ＦＢＭ＝ＦＢＭ                      ・・・（５）
となる。
【００７１】
ａｄｓｌＬｉｎｅＴｒａｎｓＡｔｕｃＣａｐの管理情報値２１が「Ｇ．９９２．１  ＴＣＭ−ＩＳＤＮ  ｎｏｎ−ｏｖｅｒｌａｐｐｅｄ」で、ＰＳＤの管理情報値２２が「ＦｅｘｔＯｖｅｒｌａｐ」で、ビットマップの管理情報値２３が「ＤＢＭ」の場合には、ＡＤＳＬ回線動作モード定義テーブル１５ａから動作モードの設定として「ＤＢＭ」が選択決定される。これを式で表すと、
Ｇ．９９２．１  ＴＣＭ−ＩＳＤＮ  ｎｏｎ−ｏｖｅｒｌａｐｐｅｄ＋ＦｅｘｔＯｖｅｒｌａｐ＋ＤＢＭ＝ＤＢＭ                      ・・・（６）
となる。
【００７２】
ａｄｓｌＬｉｎｅＴｒａｎｓＡｔｕｃＣａｐの管理情報値２１が「Ｇ．９９２．１  ＴＣＭ−ＩＳＤＮ  ｏｖｅｒｌａｐｐｅｄ」で、ＰＳＤの管理情報値２２が「ＥＣＨＯ」で、ビットマップの管理情報値２３が「ＦＢＭ」の場合には、ＡＤＳＬ回線動作モード定義テーブル１５ａから動作モードの設定として「ＦＢＭ−ｓＯＬ」が選択決定される。これを式で表すと、
Ｇ．９９２．１  ＴＣＭ−ＩＳＤＮ  ｏｖｅｒｌａｐｐｅｄ＋ＥＣＨＯ＋ＦＢＭ＝ＦＢＭ−ｓＯＬ                                    ・・・（７）
となる。
【００７３】
ａｄｓｌＬｉｎｅＴｒａｎｓＡｔｕｃＣａｐの管理情報値２１が「Ｇ．９９２．１  ＴＣＭ−ＩＳＤＮ  ｏｖｅｒｌａｐｐｅｄ」で、ＰＳＤの管理情報値２２が「ＥＣＨＯ」で、ビットマップの管理情報値２３が「ＤＢＭ」の場合には、ＡＤＳＬ回線動作モード定義テーブル１５ａから動作モードの設定として「ＤＢＭ−ＯＬ」が選択決定される。これを式で表すと、
Ｇ．９９２．１  ＴＣＭ−ＩＳＤＮ  ｏｖｅｒｌａｐｐｅｄ＋ＥＣＨＯ＋ＤＢＭ＝ＤＢＭ−ＯＬ                                      ・・・（８）
となる。
【００７４】
ａｄｓｌＬｉｎｅＴｒａｎｓＡｔｕｃＣａｐの管理情報値２１が「Ｇ．９９２．１  ＴＣＭ−ＩＳＤＮ  ｏｖｅｒｌａｐｐｅｄ」で、ＰＳＤの管理情報値２２が「ＦＤＭ」で、ビットマップの管理情報値２３が「ＦＢＭ」の場合には、ＡＤＳＬ回線動作モード定義テーブル１５ａから動作モードの設定として「ＦＢＭ−ｓＯＬ」が選択決定される。これを式で表すと、
Ｇ．９９２．１  ＴＣＭ−ＩＳＤＮ  ｏｖｅｒｌａｐｐｅｄ＋ＦＤＭ＋ＦＢＭ＝ＦＢＭ−ｓＯＬ                                      ・・・（９）
となる。
【００７５】
ａｄｓｌＬｉｎｅＴｒａｎｓＡｔｕｃＣａｐの管理情報値２１が「Ｇ．９９２．１  ＴＣＭ−ＩＳＤＮ  ｏｖｅｒｌａｐｐｅｄ」で、ＰＳＤの管理情報値２２が「ＦＤＭ」で、ビットマップの管理情報値２３が「ＤＢＭ」の場合には、ＡＤＳＬ回線動作モード定義テーブル１５ａから動作モードの設定として「ＤＢＭ−ＯＬ」が選択決定される。これを式で表すと、
Ｇ．９９２．１  ＴＣＭ−ＩＳＤＮ  ｏｖｅｒｌａｐｐｅｄ＋ＦＤＭ＋ＤＢＭ＝ＤＢＭ−ＯＬ                                        ・・・（１０）
となる。
【００７６】
ａｄｓｌＬｉｎｅＴｒａｎｓＡｔｕｃＣａｐの管理情報値２１が「Ｇ．９９２．１  ＴＣＭ−ＩＳＤＮ  ｏｖｅｒｌａｐｐｅｄ」で、ＰＳＤの管理情報値２２が「ＦｅｘｔＯｖｅｒｌａｐ」で、ビットマップの管理情報値２３が「ＤＢＭ」の場合には、ＡＤＳＬ回線動作モード定義テーブル１５ａから動作モードの設定として「ＸＯＬ」が選択決定される。これを式で表すと、
Ｇ．９９２．１  ＴＣＭ−ＩＳＤＮ  ｏｖｅｒｌａｐｐｅｄ＋ＦｅｘｔＯｖｅｒｌａｐ＋ＤＢＭ＝ＸＯＬ                              ・・・（１１）
となる。
【００７７】
ａｄｓｌＬｉｎｅＴｒａｎｓＡｔｕｃＣａｐの管理情報値２１が「Ｇ．９９２．１  ＴＣＭ−ＩＳＤＮ  ｏｖｅｒｌａｐｐｅｄ」で、ＰＳＤの管理情報値２２が「ＦｅｘｔＯｖｅｒｌａｐ」で、ビットマップの管理情報値２３が「ＤＢＭ／ＦＢＭ」の場合には、ＡＤＳＬ回線動作モード定義テーブル１５ａから動作モードの設定として「ＸＤＤ」が選択決定される。これを式で表すと、
Ｇ．９９２．１  ＴＣＭ−ＩＳＤＮ  ｏｖｅｒｌａｐｐｅｄ＋ＦｅｘｔＯｖｅｒｌａｐ＋ＤＢＭ／ＦＢＭ＝ＸＤＤ                      ・・・（１２）
となる。
【００７８】
一方、ａｄｓｌＬｉｎｅＴｒａｎｓＡｔｕｃＣａｐの管理情報値２１が「Ｇ．９９２．２  ｗｉｔｈ  ＴＣＭ−ＩＳＤＮ  ｎｏｎ−ｏｖｅｒｌａｐｐｅｄ」で、ＰＳＤの管理情報値２２が「ＥＣＨＯ」で、ビットマップの管理情報値２３が「ＦＢＭ」の場合には、ＡＤＳＬ回線動作モード定義テーブル１５ｂから動作モードの設定として「ＦＢＭ」が選択決定される。これを式で表すと、
Ｇ．９９２．２  ｗｉｔｈ  ＴＣＭ−ＩＳＤＮ  ｎｏｎ−ｏｖｅｒｌａｐｐｅｄ＋ＥＣＨＯ＋ＦＢＭ＝ＦＢＭ                          ・・・（１３）
となる。
【００７９】
一方、ａｄｓｌＬｉｎｅＴｒａｎｓＡｔｕｃＣａｐの管理情報値２１が「Ｇ．９９２．２  ｗｉｔｈ  ＴＣＭ−ＩＳＤＮ  ｎｏｎ−ｏｖｅｒｌａｐｐｅｄ」で、ＰＳＤの管理情報値２２が「ＥＣＨＯ」で、ビットマップの管理情報値２３が「ＤＢＭ」の場合には、ＡＤＳＬ回線動作モード定義テーブル１５ｂから動作モードの設定として「ＤＢＭ」が選択決定される。これを式で表すと、
Ｇ．９９２．２  ｗｉｔｈ  ＴＣＭ−ＩＳＤＮ  ｎｏｎ−ｏｖｅｒｌａｐｐｅｄ＋ＥＣＨＯ＋ＤＢＭ＝ＤＢＭ                          ・・・（１４）
となる。
【００８０】
一方、ａｄｓｌＬｉｎｅＴｒａｎｓＡｔｕｃＣａｐの管理情報値２１が「Ｇ．９９２．２  ｗｉｔｈ  ＴＣＭ−ＩＳＤＮ  ｎｏｎ−ｏｖｅｒｌａｐｐｅｄ」で、ＰＳＤの管理情報値２２が「ＦＤＭ」で、ビットマップの管理情報値２３が「ＦＢＭ」の場合には、ＡＤＳＬ回線動作モード定義テーブル１５ｂから動作モードの設定として「ＦＢＭ」が選択決定される。これを式で表すと、
Ｇ．９９２．２  ｗｉｔｈ  ＴＣＭ−ＩＳＤＮ  ｎｏｎ−ｏｖｅｒｌａｐｐｅｄ＋ＦＤＭ＋ＦＢＭ＝ＦＢＭ                            ・・・（１５）
となる。
【００８１】
一方、ａｄｓｌＬｉｎｅＴｒａｎｓＡｔｕｃＣａｐの管理情報値２１が「Ｇ．９９２．２  ｗｉｔｈ  ＴＣＭ−ＩＳＤＮ  ｎｏｎ−ｏｖｅｒｌａｐｐｅｄ」で、ＰＳＤの管理情報値２２が「ＦＤＭ」で、ビットマップの管理情報値２３が「ＤＢＭ」の場合には、ＡＤＳＬ回線動作モード定義テーブル１５ｂから動作モードの設定として「ＤＢＭ」が選択決定される。これを式で表すと、
Ｇ．９９２．２  ｗｉｔｈ  ＴＣＭ−ＩＳＤＮ  ｎｏｎ−ｏｖｅｒｌａｐｐｅｄ＋ＦＤＭ＋ＤＢＭ＝ＤＢＭ                            ・・・（１６）
となる。
【００８２】
一方、ａｄｓｌＬｉｎｅＴｒａｎｓＡｔｕｃＣａｐの管理情報値２１が「Ｇ．９９２．２  ｗｉｔｈ  ＴＣＭ−ＩＳＤＮ  ｎｏｎ−ｏｖｅｒｌａｐｐｅｄ」で、ＰＳＤの管理情報値２２が「ＦｅｘｔＯｖｅｒｌａｐ」で、ビットマップの管理情報値２３が「ＦＢＭ」の場合には、ＡＤＳＬ回線動作モード定義テーブル１５ｂから動作モードの設定として「ＦＢＭ」が選択決定される。これを式で表すと、
Ｇ．９９２．２  ｗｉｔｈ  ＴＣＭ−ＩＳＤＮ  ｎｏｎ−ｏｖｅｒｌａｐｐｅｄ＋ＦｅｘｔＯｖｅｒｌａｐ＋ＦＢＭ＝ＦＢＭ            ・・・（１７）
となる。
【００８３】
一方、ａｄｓｌＬｉｎｅＴｒａｎｓＡｔｕｃＣａｐの管理情報値２１が「Ｇ．９９２．２  ｗｉｔｈ  ＴＣＭ−ＩＳＤＮ  ｎｏｎ−ｏｖｅｒｌａｐｐｅｄ」で、ＰＳＤの管理情報値２２が「ＦｅｘｔＯｖｅｒｌａｐ」で、ビットマップの管理情報値２３が「ＤＢＭ」の場合には、ＡＤＳＬ回線動作モード定義テーブル１５ｂから動作モードの設定として「ＤＢＭ」が選択決定される。これを式で表すと、
Ｇ．９９２．２  ｗｉｔｈ  ＴＣＭ−ＩＳＤＮ  ｎｏｎ−ｏｖｅｒｌａｐｐｅｄ＋ＦｅｘｔＯｖｅｒｌａｐ＋ＤＢＭ＝ＤＢＭ            ・・・（１８）
となる。
【００８４】
一方、ａｄｓｌＬｉｎｅＴｒａｎｓＡｔｕｃＣａｐの管理情報値２１が「Ｇ．９９２．２  ｗｉｔｈ  ＴＣＭ−ＩＳＤＮ  ｏｖｅｒｌａｐｐｅｄ」で、ＰＳＤの管理情報値２２が「ＥＣＨＯ」で、ビットマップの管理情報値２３が「ＦＢＭ」の場合には、ＡＤＳＬ回線動作モード定義テーブル１５ｂから動作モードの設定として「ＦＢＭ−ｓＯＬ」が選択決定される。これを式で表すと、
Ｇ．９９２．２  ｗｉｔｈ  ＴＣＭ−ＩＳＤＮ  ｏｖｅｒｌａｐｐｅｄ＋ＥＣＨＯ＋ＦＢＭ＝ＦＢＭ−ｓＯＬ                          ・・・（１９）
となる。
【００８５】
一方、ａｄｓｌＬｉｎｅＴｒａｎｓＡｔｕｃＣａｐの管理情報値２１が「Ｇ．９９２．２  ｗｉｔｈ  ＴＣＭ−ＩＳＤＮ  ｏｖｅｒｌａｐｐｅｄ」で、ＰＳＤの管理情報値２２が「ＥＣＨＯ」で、ビットマップの管理情報値２３が「ＤＢＭ」の場合には、ＡＤＳＬ回線動作モード定義テーブル１５ｂから動作モードの設定として「ＤＢＭ−ＯＬ」が選択決定される。これを式で表すと、
Ｇ．９９２．２  ｗｉｔｈ  ＴＣＭ−ＩＳＤＮ  ｏｖｅｒｌａｐｐｅｄ＋ＥＣＨＯ＋ＤＢＭ＝ＤＢＭ−ＯＬ                            ・・・（２０）
となる。
【００８６】
一方、ａｄｓｌＬｉｎｅＴｒａｎｓＡｔｕｃＣａｐの管理情報値２１が「Ｇ．９９２．２  ｗｉｔｈ  ＴＣＭ−ＩＳＤＮ  ｏｖｅｒｌａｐｐｅｄ」で、ＰＳＤの管理情報値２２が「ＦＤＭ」で、ビットマップの管理情報値２３が「ＦＢＭ」の場合には、ＡＤＳＬ回線動作モード定義テーブル１５ｂから動作モードの設定として「ＦＢＭ−ｓＯＬ」が選択決定される。これを式で表すと、
Ｇ．９９２．２  ｗｉｔｈ  ＴＣＭ−ＩＳＤＮ  ｏｖｅｒｌａｐｐｅｄ＋ＦＤＭ＋ＦＢＭ＝ＦＢＭ−ｓＯＬ                            ・・・（２１）
となる。
【００８７】
一方、ａｄｓｌＬｉｎｅＴｒａｎｓＡｔｕｃＣａｐの管理情報値２１が「Ｇ．９９２．２  ｗｉｔｈ  ＴＣＭ−ＩＳＤＮ  ｏｖｅｒｌａｐｐｅｄ」で、ＰＳＤの管理情報値２２が「ＦＤＭ」で、ビットマップの管理情報値２３が「ＤＢＭ」の場合には、ＡＤＳＬ回線動作モード定義テーブル１５ｂから動作モードの設定として「ＤＢＭ−ＯＬ」が選択決定される。これを式で表すと、
Ｇ．９９２．２  ｗｉｔｈ  ＴＣＭ−ＩＳＤＮ  ｏｖｅｒｌａｐｐｅｄ＋ＦＤＭ＋ＤＢＭ＝ＤＢＭ−ＯＬ                              ・・・（２２）
となる。
【００８８】
一方、ａｄｓｌＬｉｎｅＴｒａｎｓＡｔｕｃＣａｐの管理情報値２１が「Ｇ．９９２．２  ｗｉｔｈ  ＴＣＭ−ＩＳＤＮ  ｏｖｅｒｌａｐｐｅｄ」で、ＰＳＤの管理情報値２２が「ＦｅｘｔＯｖｅｒｌａｐ」で、ビットマップの管理情報値２３が「ＤＢＭ」の場合には、ＡＤＳＬ回線動作モード定義テーブル１５ｂから動作モードの設定として「ＸＯＬ」が選択決定される。これを式で表すと、
Ｇ．９９２．２  ｗｉｔｈ  ＴＣＭ−ＩＳＤＮ  ｏｖｅｒｌａｐｐｅｄ＋ＦｅｘｔＯｖｅｒｌａｐ＋ＤＢＭ＝ＸＯＬ                    ・・・（２３）
となる。
【００８９】
一方、ａｄｓｌＬｉｎｅＴｒａｎｓＡｔｕｃＣａｐの管理情報値２１が「Ｇ．９９２．２  ｗｉｔｈ  ＴＣＭ−ＩＳＤＮ  ｏｖｅｒｌａｐｐｅｄ」で、ＰＳＤの管理情報値２２が「ＦｅｘｔＯｖｅｒｌａｐ」で、ビットマップの管理情報値２３が「ＤＢＭ／ＦＢＭ」の場合には、ＡＤＳＬ回線動作モード定義テーブル１５ｂから動作モードの設定として「ＸＤＤ」が選択決定される。これを式で表すと、
Ｇ．９９２．２  ｗｉｔｈ  ＴＣＭ−ＩＳＤＮ  ｏｖｅｒｌａｐｐｅｄ＋ＦｅｘｔＯｖｅｒｌａｐ＋ＤＢＭ／ＦＢＭ＝ＸＤＤ            ・・・（２４）
となる。
【００９０】
以下、上記の各式について詳細に説明する。図６（ａ）は「ＤＢＭ」を示しており、ビットマップの観点から見ると、上り信号と下り信号とがともにＦＥＸＴとＮＥＸＴとの両方のタイミングで信号を送信している。よって、ビットマップの管理情報値２３は「ＤＢＭ（下りＤＢＭ／上りＤＢＭ）」となる。また、周波数の観点から見ると、「ＤＢＭ」は周波数の住み分けラインである周波数のキャリア番号「３２」を境界として上り信号と下り信号とがオーバラップしていない［図３（ｂ）参照］。よって、ＰＳＤの状態は「Ｎｏｎ−Ｏｖｅｒｌａｐｐｅｄ」となる。
【００９１】
上述したように、標準ＭＩＢの「ａｄｓｌＬｉｎｅＴｒａｎｓＡｔｕｃＣａｐ」には規格情報のみならず、ＰＳＤの情報も含まれているので、冗長的となるために優先度付けをしている。ＰＳＤの管理情報値２２が「ＦｅｘｔＯｖｅｒｌａｐ」の場合には、ＰＳＤの管理情報値２２を優位としている。「ＦｅｘｔＯｖｅｒｌａｐ」はＣＯがＦＥＸＴタイミングのみ、上り信号と下り信号との周波数がオーバラップしていること示している［図６（ｅ），（ｆ）参照］。
【００９２】
ａｄｓｌＬｉｎｅＴｒａｎｓＡｔｕｃＣａｐの管理情報値２１が「９９２．１ＴＣＭ−ＩＳＤＮ  ｎｏｎ−ｏｖｅｒｌａｐｐｅｄ」あるいは「９９２．２  ｗｉｔｈ  ＴＣＭ−ＩＳＤＮ  ｎｏｎ−ｏｖｅｒｌａｐｐｅｄ」の場合には、Ｏｖｅｒｌａｐ方式とならないＡＤＳＬ回線動作モードを表現している。「ＤＢＭ」はＯｖｅｒｌａｐｐｅｄしていないので、冗長的となるＰＳＤの管理情報値２２はａｄｓｌＬｉｎｅＴｒａｎｓＡｔｕｃＣａｐの管理情報値２１を参照し、ａｄｓｌＬｉｎｅＴｒａｎｓＡｔｕｃＣａｐの管理情報２１が「９９２．１  ＴＣＭ−ＩＳＤＮ  ｎｏｎ−ｏｖｅｒｌａｐｐｅｄ」あるいは「９９２．２  ｗｉｔｈ  ＴＣＭ−ＩＳＤＮ  ｎｏｎ−ｏｖｅｒｌａｐｐｅｄ」で表現されることになる。
【００９３】
ａｄｓｌＬｉｎｅＴｒａｎｓＡｔｕｃＣａｐの管理情報値２１がこの状態の時、ＰＳＤの管理情報値２２が無視されるので、ＰＳＤの管理情報値２２が「ＥＣＨＯ」や「ＦＤＭ」であればよい。これによって、ＤＢＭは規格情報とビットマップ情報とＰＳＤ情報とから表現され、これらの設定値を持ったものが「ＤＢＭ」となる。
【００９４】
（６）式も「ＤＢＭ」である。ＰＳＤの管理情報値２２の「ＦｅｘｔＯｖｅｒｌａｐ」が有効になるのは、ａｄｓｌＬｉｎｅＴｒａｎｓＡｔｕｃＣａｐの管理情報値２１がｏｖｅｒｌａｐｐｅｄを示す場合に限る。最終的に、「ＤＢＭ」は上記の（２），（４），（６），（１４），（１６），（１８）式とで表現される。
【００９５】
ＡＤＳＬ回線動作モードが「ＦＢＭ」の場合には、ＣＯがＮＥＸＴのタイミングで信号を送信しない。よって、上記の「ＤＢＭ」との違いはビットマップ情報が「ＦＢＭ（下りＦＢＭ／上りＦＢＭ）」となる［図６（ｂ）参照］。図６（ｂ）において、ＣＯ＿ＮＥＸＴで信号送信しているが、ＣＯ＿ＮＥＸＴはＡＴＵ−Ｒ側のＦＥＸＴであるので、上りＦＢＭとなる。したがって、「下り信号送出タイミング  ＡＴＵ−Ｃ側ＦＢＭ／上り信号送出タイミング  ＡＴＵ−Ｒ側ＦＢＭ」であるので、「下りＦＢＭ／上りＦＢＭ」とした。最終的に、「ＦＢＭ」は上記の（１），（３），（５），（１３），（１５），（１７）式とで表現される。
【００９６】
上記の（７）〜（１２）式はａｄｓｌＬｉｎｅＴｒａｎｓＡｔｕｃＣａｐの管理情報値２１が「９９２．１  ＴＣＭ−ＩＳＤＮ  ｏｖｅｒｌａｐｐｅｄ」あるいは「９９２．２  ｗｉｔｈ  ＴＣＭ−ＩＳＤＮ  ｏｖｅｒｌａｐｐｅｄ」であるので、Ｏｖｅｒｌａｐ方式となるＡＤＳＬ回線動作モードを表現している。すなわち、図６（ｃ），（ｄ），（ｅ），（ｆ）に示す動作モードとなる。
【００９７】
図６（ｃ）に示す「ＤＢＭ−ＯＬ」は周波数の観点から見ると、ＣＯ側のＦＥＸＴとＮＥＸＴとのタイミングで、信号がＯｖｅｒｌａｐしているので、ａｄｓｌＬｉｎｅＴｒａｎｓＡｔｕｃＣａｐの管理情報値２１は「９９２．１  ＴＣＭ−ＩＳＤＮ  ｏｖｅｒｌａｐｐｅｄ」あるいは「９９２．２  ｗｉｔｈ  ＴＣＭ−ＩＳＤＮ  ｏｖｅｒｌａｐｐｅｄ」となる。また、ビットマップの観点でみると、ＮＥＸＴとＦＥＸＴとで常に信号を送信しているので、ビットマップの管理情報値２３は「ＤＢＭ」となる。この場合、ＰＳＤの管理情報値２２は「ＥＣＨＯ」でも、「ＦＤＭ」でもかまわない。最終的に、「ＤＢＭ−ＯＬ」は（８），（１０），（２０），（２２）式が成り立つ。
【００９８】
また、図６（ｄ）に示す「ＦＢＭ−ｓＯＬ」は周波数の観点から見ると、ＣＯ側のＦＥＸＴのタイミングで、信号がＯｖｅｒｌａｐしているので、ａｄｓｌＬｉｎｅＴｒａｎｓＡｔｕｃＣａｐの管理情報値２１は「９９２．１  ＴＣＭ−ＩＳＤＮ  ｏｖｅｒｌａｐｐｅｄ」あるいは「９９２．２  ｗｉｔｈ  ＴＣＭ−ＩＳＤＮ  ｏｖｅｒｌａｐｐｅｄ」となる。また、ビットマップの観点でみると、ＦＥＸＴで信号を送信しているので、ビットマップの管理情報値２３は「ＦＢＭ」となる。この場合も、ＰＳＤの管理情報値２２は「ＥＣＨＯ」でも、「ＦＤＭ」でもかまわない。最終的に、「ＦＢＭ−ｓＯＬ」は（７），（９），（１９），（２１）式が成り立つ。
【００９９】
さらに、図６（ｅ）に示す「ＸＤＤ」は周波数の観点から見ると、ＣＯ側のＦＥＸＴのタイミングで、信号がＯｖｅｒｌａｐしているので、ａｄｓｌＬｉｎｅＴｒａｎｓＡｔｕｃＣａｐの管理情報値２１は「９９２．１  ＴＣＭ−ＩＳＤＮｏｖｅｒｌａｐｐｅｄ」あるいは「９９２．２  ｗｉｔｈ  ＴＣＭ−ＩＳＤＮｏｖｅｒｌａｐｐｅｄ」となる。また、ビットマップの観点でみると、ＮＥＸＴとＦＥＸＴとで常に信号を送信しているので、ビットマップの管理情報値は「ＤＢＭ」となる。さらに、細かく見ると、ＦＥＸＴでＯｖｅｒｌａｐしているが、ＮＥＸＴのタイミングではＯｖｅｒｌａｐしていないので、ＰＳＤの管理情報値２２が「ＦｅｘｔＯｖｅｒｌａｐ」になる。結局、「ＸＤＤ」は「９９２．１ＴＣＭ−ＩＳＤＮ  ｏｖｅｒｌａｐｐｅｄ＋ＤＢＭ＋ＦｅｘｔＯｖｅｒｌａｐ」あるいは「９９２．２  ｗｉｔｈ  ＴＣＭ−ＩＳＤＮ  ｏｖｅｒｌａｐｐｅｄ＋ＤＢＭ＋ＦｅｘｔＯｖｅｒｌａｐ」で表現することができる。これを示す式は（１２），（２４）式となる。
【０１００】
さらにまた、図６（ｆ）に示す「ＸＯＬ」は、「ＸＤＤ」とは、ビットマップの管理情報値２３が、下りで「ＤＢＭ」となり、上りで「ＦＢＭ」となる点で異なる。したがって、「９９２．１  ＴＣＭ−ＩＳＤＮ  ｏｖｅｒｌａｐｐｅｄ＋ＤＢＭ／ＦＢＭ＋ＦｅｘｔＯｖｅｒｌａｐ」あるいは「９９２．２  ｗｉｔｈ  ＴＣＭ−ＩＳＤＮ  ｏｖｅｒｌａｐｐｅｄ＋ＤＢＭ／ＦＢＭ＋ＦｅｘｔＯｖｅｒｌａｐ」で表現することができる。これを示す式は（１１），（２３）式となる。
【０１０１】
図７は本発明の第１の実施例によるＡＤＳＬ回線動作モード設定システムの動作を示すフローチャートである。これら図１〜図７を参照して本発明の第１の実施例によるＡＤＳＬ回線動作モード設定システムの動作について説明する。
【０１０２】
ＮＭＳ３のマネージャ３１は集線装置１にあるエージェント１２が管理するＭＩＢ１３にＡＤＳＬ回線２０１〜２０ｎの動作モードを設定するためにａｄｓｌＬｉｎｅＴｒａｎｓＡｔｕｃＣａｐの管理情報値２１、ＰＳＤの管理情報値２２、ビットマップの管理情報値２３それぞれをエージェント１２へ送信する（図７ステップＳ１）。
【０１０３】
エージェント１２は管理情報を受信すると（図７ステップＳ２）、上述した管理情報それぞれの変更／更新の有無を判定する（図７ステップＳ３）。エージェント１２は変更／更新がない場合、ＡＤＳＬ回線動作モード設定制御を終了する。一方、エージェント１２は変更／更新があった場合、管理情報をＭＩＢ１３に格納する（図７ステップＳ４）。
【０１０４】
次に、エージェント１２はＡＤＳＬ回線動作モードの変更／更新をＡＤＳＬ回線動作モード判定／設定部１１へ通知する（図７ステップＳ５）。ＡＤＳＬ回線動作モード判定／設定部１１はこの通知を受ると、動作を開始する。
【０１０５】
ＡＤＳＬ回線動作モード判定／設定部１１は再度、管理情報の有効性や正当性を確認し（図７ステップＳ１１）、判定が不可であった場合、ＡＤＳＬ回線動作モード設定変更なしとして処理を終了する（図７ステップＳ１７）。
【０１０６】
一方、ＡＤＳＬ回線動作モード判定／設定部１１は判定が問題なしであった場合、エージェント１２から通知された管理情報を基に管理情報と動作モード対応表であるＡＤＳＬ回線動作モード定義テーブル１５ａ，１５ｂとを参照する（図７ステップＳ１２）。
【０１０７】
ＡＤＳＬ回線動作モード判定／設定部１１はＡＤＳＬ回線動作モード定義テーブル１５ａ，１５ｂと比較し（図７ステップＳ１３）、動作モード設定値と規格動作設定値とＰＳＤ設定値とを取得する（図７ステップＳ１４）。
【０１０８】
ＡＤＳＬ回線動作モード判定／設定部１１は取得した動作モードが「ＤＢＭ」、「ＦＢＭ」、「ＤＢＭ−ＯＬ」、「ＦＢＭ−ｓＯＬ」、「ＸＤＤ」、「ＸＯＬ」の各ＡＤＳＬ動作モードであれば、有効値であると判定し（図７ステップＳ１５）、ＡＤＳＬ回線動作モードを設定し（図７ステップＳ１６）、動作を終了する。
【０１０９】
ＡＤＳＬ回線動作モード判定／設定部１１は取得した動作モードが未定義を示す不正値と判定した場合（図７ステップＳ１５）、ＡＤＳＬ回線動作モード設定変更なしとして（図７ステップＳ１７）、動作を終了する。
【０１１０】
このように、本実施例では、ＡＤＳＬ回線の動作モードを管理するために、ＰＳＤ管理情報とビットマップ管理情報とを追加することによって、既存のＡＤＳＬ回線動作モードと、標準化団体にて勧告化されていないが、市場にて展開されている高速化及び長延化に対応したＡＤＳＬ回線動作モードとを設定管理することができる。
【０１１１】
また、本実施例では、規格／勧告とＰＳＤとビットマップとのそれぞれの管理情報の組合せに対して、ＡＤＳＬ回線の動作モードを決定する動作モード定義テーブル１５，１５ａ，１５ｂを備えることによって、既勧告済管理情報と、本実施例で追加するＰＳＤ管理情報及びビットマップ管理情報とを利用することによって、今後、新たに定義される新規ＡＤＳＬ回線の動作モードにも対応可能な柔軟性を持たせることができる。
【０１１２】
すなわち、規格化されていない動作モードと規格済のＭＩＢとで表現して動作モードを管理することはできない。そのため、本実施例では、規格化されていない動作モードを標準ＭＩＢのメンバと独自のプライベートＭＩＢ定義のメンバとによって状態を忠実に管理情報値として定義し、その組合せを認識する判定アルゴリズムを用意している。これによって、本実施例では、標準でもプライベートでも、ＭＩＢとして定義することによって、一般的にＮＭＳから管理制御することが可能となる。
【０１１３】
図８は本発明の第２の実施例によるＡＤＳＬ回線動作モード設定システムの構成を示すブロック図である。図８において、本発明の第２の実施例によるＡＤＳＬ回線動作モード設定システムにおいては、集線装置１のエージェント１２とＭＩＢ１３とを基本集線及び管理部１７として配置し、ＡＤＳＬ回線動作モード判定／設定部１１とＡＴＵ−Ｃ１４−１〜１４−ｎとをＡＤＳＬ回線終端部１８として配置している点で異なる以外は上述した本発明の第１の実施例によるＡＤＳＬ回線動作モード設定システムと同様の構成及び動作となっており、同一構成要素には同一符号を付してある。
【０１１４】
当然のことながら、ＡＤＳＬ回線終端部１８は集線装置１内に複数存在する場合もある。したがって、それぞれのＡＤＳＬ回線終端部１８はＡＤＳＬ回線動作モード判定／設定部１１が保持する管理情報と動作モード対応表１５ａ，１５ｂの管理情報と動作モードとの対応付けがそれぞれ異なるテーブルを保持することができ、今後の新規規格や新規動作モードに対して、管理情報及び動作モード対応表１５ａ，１５ｂのみの更新で対応することが可能となる。
【０１１５】
図９は本発明の第３の実施例によるＡＤＳＬ回線動作モード設定システムの構成を示すブロック図である。図９において、本発明の第３の実施例によるＡＤＳＬ回線動作モード設定システムにおいては、エージェント１２とＭＩＢ１３とＡＤＳＬ回線動作モード判定／設定部１１とを装置管理部１９として配置し、ＡＴＵ−Ｃ１４−１〜１４−ｎのみをＡＤＳＬ回線終端部２０として配置している点で異なる以外は上述した本発明の第１の実施例によるＡＤＳＬ回線動作モード設定システムと同様の構成及び動作となっており、同一構成要素には同一符号を付してある。
【０１１６】
当然のことながら、ＡＤＳＬ回線終端部２０は集線装置１内に複数存在する場合もある。したがって、本実施例は集線装置１が収容する全てのＡＤＳＬ回線の動作モードの設定制御を装置管理部１９にて集中管理／制御することができ、本発明のシステムを低コストで実現することが可能となる。
【０１１７】
図１０は本発明の第４の実施例によるＡＤＳＬ回線動作モード設定システムの構成を示すブロック図である。図１０において、本発明の第４の実施例によるＡＤＳＬ回線動作モード設定システムにおいては、エージェント１２とＭＩＢ１３とをＮＭＳ３に配置している点で異なる以外は上述した本発明の第１の実施例によるＡＤＳＬ回線動作モード設定システムと同様の構成及び動作となっており、同一構成要素には同一符号を付してある。
【０１１８】
したがって、本実施例はエージェント１２及び管理情報を格納するＭＩＢ１３を集線装置１外部に展開することによって、集線装置１内のＣＰＵ（中央処理装置）やメモリ量を削減することが可能となるので、集線装置１を低コストで提供することが可能となる。
【０１１９】
図１１は本発明の第５の実施例によるＡＤＳＬ回線動作モード設定システムの構成を示すブロック図である。図１１において、本発明の第５の実施例によるＡＤＳＬ回線動作モード設定システムにおいては、ＡＤＳＬ回線動作モード判定／設定部１１とエージェント１２とＭＩＢ１３とをＮＭＳ３に配置している点で異なる以外は上述した本発明の第１の実施例によるＡＤＳＬ回線動作モード設定システムと同様の構成及び動作となっており、同一構成要素には同一符号を付してある。
【０１２０】
したがって、本実施例はＡＤＳＬ回線動作モード判定／設定部１１のプログラム、エージェント１２及び管理情報を格納するＭＩＢ１３を集線装置１外部に展開することによって、集線装置１内のＣＰＵやメモリ量を削減することが可能となるので、集線装置１を低コストで提供することが可能となる。
【０１２１】
また、本実施例では各メーカが開発した各種ＡＴＵ−Ｃの設定インタフェースとなるＡＤＳＬ回線動作モード判定／設定部１１をＮＭＳ３に具備することによって、より容易に、各メーカが開発した各種ＡＴＵ−Ｃの動作モード設定インタフェースに対応することができ、拡張性を増すことが可能となる。
【０１２２】
尚、上述した本発明の第２〜第５の実施例においては、ＡＤＳＬ回線動作モード判定／設定部１１、エージェント１２、ＭＩＢ１３の実現場所や実現方法が本発明の第１の実施例と異なるのみで、それらの動作に関しては本発明の第１の実施例の動作と同様である。
【０１２３】
このように、本発明では、ＡＤＳＬ回線の動作モードを管理するために、ＰＳＤ動作管理情報とビットマップ動作管理情報とを追加することによって、既存のＡＤＳＬ回線動作モードと、標準化団体にて勧告化されていないが、市場にて展開されている高速化及び長延化に対応したＡＤＳＬ回線動作モードとを設定管理することができる。
【０１２４】
また、本発明では、規格／勧告とＰＳＤ動作とビットマップ動作とのそれぞれの管理情報の組合せに対して、ＡＤＳＬ回線の動作モードを決定する動作モード定義テーブルを備えることによって、既勧告済管理情報と、本発明で追加するＰＳＤ動作管理情報及びビットマップ動作管理情報とを利用することによって、今度の新規ＡＤＳＬ回線の動作モードにも対応可能な柔軟性を持たせることができる。
【０１２５】
さらに、本発明では、ＡＤＳＬ動作モード設定方法を実現するためのＡＤＳＬ回線動作モード判定／設定部１１と、ネットワーク管理システムの一部であるエージェント１２と、管理情報を格納するＭＩＢ１３とをシステム内の最適な場所に配置することができるので、ＡＤＳＬ動作モード設定システムを低コストで構築することができる。
【０１２６】
【発明の効果】
以上説明したように本発明のＡＤＳＬ動作モード設定システムは、上記のような構成及び動作とすることで、Ｇ．ｄｍｔ／Ｇ．ｌｉｔｅ  Ａｎｎｅｘ  ＣのＤＢＭやＦＢＭとＧ．ｄｍｔ／Ｇ．ｌｉｔｅ  Ｃ．ｘのＤＢＭ−ＯＬ、ＸＤＤ、ＸＯＬ、ＦＢＭ−ｓＯＬ各々の動作モードを管理するための管理情報を実現することができるという効果が得られる。
【０１２７】
また、本発明の他のＡＤＳＬ動作モード設定システムは、上記のような構成及び動作とし、上記の管理情報を用いることで、Ｇ．ｄｍｔ／Ｇ．ｌｉｔｅ  Ａｎｎｅｘ  ＣのＤＢＭやＦＢＭとＧ．ｄｍｔ／Ｇ．ｌｉｔｅ  Ｃ．ｘのＤＢＭ−ＯＬ、ＸＤＤ、ＸＯＬ、ＦＢＭ−ｓＯＬ各々の動作モードを加入者ＡＤＳＬシステムに設定することができるという効果が得られる。
【図面の簡単な説明】
【図１】本発明の第１の実施例によるＡＤＳＬ動作モード設定システムの構成を示すブロック図である。
【図２】本発明の第１の実施例による管理情報を示す図である。
【図３】（ａ），（ｂ）はｏｖｅｒｌａｐｐｅｄにおける上り信号と下り信号の周波数重なりの状態を示す図である。
【図４】本発明の第１の実施例によるＡＤＳＬ回線動作モード定義テーブルの構成を示す図である。
【図５】本発明の第１の実施例によるＡＤＳＬ回線動作モード定義テーブルの構成を示す図である。
【図６】ＡＤＳＬの動作モード形態を示す図である。
【図７】本発明の第１の実施例によるＡＤＳＬ回線動作モード設定システムの動作を示すフローチャートである。
【図８】本発明の第２の実施例によるＡＤＳＬ回線動作モード設定システムの構成を示すブロック図である。
【図９】本発明の第３の実施例によるＡＤＳＬ回線動作モード設定システムの構成を示すブロック図である。
【図１０】本発明の第４の実施例によるＡＤＳＬ回線動作モード設定システムの構成を示すブロック図である。
【図１１】本発明の第５の実施例によるＡＤＳＬ回線動作モード設定システムの構成を示すブロック図である。
【符号の説明】
１  集線装置
２−１〜２−ｎ  ＡＴＵ−Ｒ
３  ＮＭＳ
１１  ＡＤＳＬ回線動作モード判定／設定部
１２  エージェント
１３  ＭＩＢ
１４−１〜１４−ｎ  ＡＴＵ−Ｃ
１５，１５ａ，１５ｂ  ＡＤＳＬ回線動作モード定義テーブル
１６，３２  記録媒体
１７  基本集線及び管理部
１８，２０  ＡＤＳＬ回線終端部
１９  装置管理部
２１  ａｄｓｌＬｉｎｅＴｒａｎｓＡｔｕｃＣａｐ
の管理情報値
２２  ＰＳＤの管理情報値
２３  ビットマップの管理情報値
３１  マネージャ
１００  ネットワーク
２０１〜２０ｎ  ＡＤＳＬ回線
【図１】
2004343578.tif 000003
【図２】
2004343578.tif 000004
【図３】
2004343578.tif 000005
【図４】
2004343578.tif 000006
【図５】
2004343578.tif 000007
【図６】
2004343578.tif 000008
【図７】
2004343578.tif 000009
【図８】
2004343578.tif 000010
【図９】
2004343578.tif 000011
【図１０】
2004343578.tif 000012
【図１１】
2004343578.tif 000013